(57)【要約】この発明は、顕微鏡を使用して撮影された測定試料の画像の色評価及び色補正に使用可能な比較基準となる色情報を提供するためのスライドガラス等に関する。当該スライドガラスは、顕微鏡に使用され測定試料の画像を得るために使用され、試料が載置されるガラス板と、該ガラス板の一方の面上に配置された１以上のマイクロカラーフィルタを有する。これらマイクロカラーフィルタ群のそれぞれは、上記画像の色評価及び色補正に使用する比較基準となる色の採取を行うための２以上の色基準用マイクロカラーフィルタを有する。また、同一マイクロカラーフィルタ群に属する各色基準用マイクロカラーフィルタは、ガラス板の一方の面上に互いに重なり合わないように配置され、全色相のうちの少なくとも３色以上の互いに異なる基準色を有する。また、同一マイクロカラーフィルタ群に属するこれら色基準用マイクロカラーフィルタのサイズは、それぞれ顕微鏡の対物レンズを使用した際に得られる視界内に捕捉可能な範囲内に調節されている。
2004044639.tif 000002
【特許請求の範囲】
【請求項１】
測定試料を観察するための顕微鏡と、該顕微鏡から得られる前記測定試料の画像を採取する撮像装置とを少なくとも有する画像採取システムにおいて、前記顕微鏡に使用されるスライドガラスであって、
ガラス板と、そして、
前記ガラス板の一方の面上に配置され、前記画像の色評価及び色補正に使用する比較基準となる色の採取を行うための２以上の色基準用マイクロカラーフィルタから構成された１以上のマイクロカラーフィルタ群とを少なくとも備え、
前記１以上のマイクロカラーフィルタ群のうち同一群に属する前記２以上の色基準用マイクロカラーフィルタは、前記ガラス板の前記面上に互いに重なり合わないようにそれぞれ配置され、互いに異なる基準色をそれぞれ有し、かつ、それぞれのサイズが前記顕微鏡に備えられている対物レンズのうちの少なくとも１つを使用した際に得られる視界内に捕捉可能な範囲内に調節されたスライドガラス。
【請求項２】
請求項１記載のスライドガラスにおいて、
前記１以上のマイクロカラーフィルタ群は、前記顕微鏡に備えられている対物レンズごとに設けられ、そして、
前記１以上のマイクロカラーフィルタ群のうち同一群に属する前記２以上の色基準用マイクロカラーフィルタのサイズは、それぞれの大きさが対応する対物レンズを使用した際に得られる視界内に捕捉可能な範囲内に調節されている。
【請求項３】
請求項１又は２記載のスライドガラスにおいて、
前記１以上のマイクロカラーフィルタ群のうちいずれかの群に属する前記２以上の色基準用マイクロカラーフィルタは、目視可能なサイズをそれぞれ有する。
【請求項４】
請求項１〜３のいずれか一項記載のスライドガラスにおいて、
前記１以上のマイクロカラーフィルタ群のうち同一群に属する前記２以上の色基準用マイクロカラーフィルタは、互いに同一サイズを有する。
【請求項５】
請求項１〜４のいずれか一項記載のスライドガラスにおいて、
前記１以上のマイクロカラーフィルタ群のそれぞれは、前記基準色に対して等歩度の彩度差である中間彩度色を有する１以上の色基準用マイクロカラーフィルタを、さらに含む。
【請求項６】
請求項１〜５のいずれか一項記載のスライドガラスにおいて、
前記１以上のマイクロカラーフィルタ群のそれぞれは、無彩軸上にプロットされる無彩度色である１以上の色基準用マイクロカラーフィルタを、さらに含む。
【請求項７】
請求項１〜６のいずれか一項記載のスライドガラスにおいて、
前記各基準色は、赤、緑、青、シアン、マゼンタ、及び黄のいずれかである。
【請求項８】
請求項１〜７のいずれか一項記載のスライドガラスにおいて、
前記１以上のマイクロフィルタ群のうち同一群に属する前記２以上の色基準用マイクロカラーフィルタは、それぞれ矩形形状を有するとともに、互いに接触しないよう所定の間隔をあけて配置されている。
【請求項９】
請求項８記載のスライドガラスは、さらに、
前記色基準用マイクロカラーフィルタそれぞれの全周縁部を隙間無く囲むように配置された環状の黒色マイクロフィルタを備える。
【請求項１０】
請求項１〜９のいずれか一項記載のスライドガラスにおいて、
前記１以上のマイクロフィルタ群のうち同一群に属する前記２以上の色基準用マイクロカラーフィルタは、それぞれ矩形形状を有するとともに、隙間無く密集した状態で並置されている。
【請求項１１】
請求項１０記載のスライドガラスは、さらに、
前記マイクロカラーフィルタ群それぞれの全周縁部を隙間無く囲むように配置された環状の黒色マイクロフィルタを備える。
【請求項１２】
請求項１〜１のいずれか一項記載のスライドガラスは、さらに、
前記ガラス板の前記面上に設けられた、前記測定試料を載置する測定試料載置部を備える。
【請求項１３】
請求項１２記載のスライドガラスにおいて、
前記測定試料載置部の領域内には、前記マイクロカラーフィルタ群のうちの少なくとも１つの群が設けられている。
【請求項１４】
測定試料を観察するための顕微鏡と、該顕微鏡から得られる前記測定試料の画像を採取する撮像装置とを少なくとも有する画像採取システムにおいて、前記顕微鏡に使用されるスライドガラス上の測定試料載置部に当接されるカバーガラスであって、
一方の面上に、前記画像の色評価及び色補正に使用する比較基準となる色の採取を行うための１以上の色基準用マイクロカラーフィルタが配置されたカバーガラス。
【請求項１５】
請求項１４記載のカバーガラスにおいて、
前記色基準用マイクロカラーフィルタは、当該カバーガラスの重心に対して非対称に配置されている。
【請求項１６】
請求項１４記載のカバーガラスにおいて、
前記色基準用マイクロカラーフィルタそれぞれのサイズは、前記顕微鏡に備えられている対物レンズのうちの少なくとも１つを使用した際に得られる視界内に捕捉可能な範囲内に調節されている。
【請求項１７】
請求項１４〜１６のいずれか一項記載のカバーガラスは、さらに、
上面と裏面とを区別するための識別マークを備える。
【請求項１８】
請求項１記載のスライドガラスを用意し、該スライドガラス上に載置された測定試料の画像を利用して病理診断を行う病理診断システムであって、
前記測定試料を観察するための顕微鏡と、該顕微鏡から得られる前記測定試料の画像を採取する撮像装置とを少なくとも有する画像採取システムと、
前記画像採取システムにおいて撮影された前記色基準用マイクロカラーフィルタの色情報に基づいて、表示されるべき画像の色を調節する画像変換器と、そして、
前記画像変換器により色調節された画像を表示するモニタとを備えた病理診断システム
【請求項１９】
請求項１４記載のカバーガラスを用意し、スライドガラス上に載置された測定試料の、該カバーガラスを介して撮影された画像を利用して病理診断を行う病理診断システムであって、
前記測定試料を観察するための顕微鏡と、該顕微鏡から得られる前記測定試料の画像を採取する撮像装置とを少なくとも有する画像採取システムと、
前記画像採取システムにおいて撮影された前記色基準用マイクロカラーフィルタの色情報に基づいて、表示されるべき画像の色を調節する画像変換器と、そして、
前記画像変換器により色調節された画像を表示するモニタとを備えた病理診断システム
【発明の詳細な説明】
【技術分野】
【０００１】  この発明は、測定試料を観察するための顕微鏡と、該顕微鏡から得られる測定試料の画像を採取する撮像装置とを少なくとも有する画像採取システムにおいて、上記顕微鏡に使用されるスライドガラス等に関するものである。
【背景技術】
【０００２】  最近、顕微鏡を用いて撮影された測定試料の画像を、例えば、撮影された場所と異なる場所に送り、そこでその画像を利用するようなネットワーク業務が行われるようになってきている。このようなネットワーク業務には、例えば、顕微鏡を用いて撮影された測定試料の画像を、病理の専門医が遠隔地にて観察し、診断するようなテレパソロジー等の業務がある。今後、顕微鏡診断が頻繁に行われるようになると、異なる観察者が同一の測定試料を異なる顕微鏡でしかも異なる観察条件で観察し、異なる画像出力媒体を使用して出力しても、標準的な色味を有する光源下で客観的に評価できる同一の画像情報として共有することができるようになることが重要となってきている。【０００３】  従来の顕微鏡観察に使用されるスライドガラスとしては、例えば、特開平９−２１８９３２号公報に記載されたスライドガラスが知られている。このスライドガラスは、顕微鏡装置にて観察される標本（測定試料）が載置された部分と、顕微鏡装置にて観察された標本を撮像して得られた顕微鏡画像と、その撮像時の顕微鏡装置の各種被制御部の状態を示す装置情報とが、光学的に読み取り可能なドットコードパターンとして記録された部分と、顕微鏡画像の縮小画像がインデックス画像として記録された部分とを具備する。このスライドガラスは、標本と当該標本についての情報とを一括管理できるようにすることを意図している。
【発明の開示】
【０００４】  発明者らは、上述の従来技術について検討した結果、以下のような課題を発見した。すなわち、従来のスライドガラスを用いた顕微鏡観察の場合、顕微鏡下の基準色あるいは既知分光スペクトルとなる測定試料が存在していないことなどから、顕微鏡を用いて撮影された測定試料の画像の色評価を明確かつ客観的に行うことができなかった。したがって、これまでの顕微鏡を用いて撮影された測定試料の画像は、感覚的で経験的な色による評価しかなされていなかった。
【０００５】  顕微鏡を用いた測定試料の観察以外の分野における通常の測定試料の色評価は、測定試料を撮影、評価するシステム、例えば、カラーデジタルカメラそのものと、ディスプレイ、プリンタ等の周辺機器を含めたシステムにおいて、市販の基準カラーチャート（例えば、マンセル社のマンセル色票、ＤＩＣ社の色カラー見本帳、Ｍａｃｈｂｅｔｈ社のｃｏｌｏｒ−ｃｈｅｃｋｅｒ等の色票）を撮影することにより行うことが可能である。
【０００６】  上記カラーチャートは業界標準となっているため、このカラーチャートを共通の基準とすることにより特定のメーカー内における機器（例えば、カラーカメラ、ディスプレイ、プリンタ等のハードウェア）間だけでなく任意の製造メーカー製機器間で、撮影した測定試料の画像の色について客観的な評価が可能となっている。しかしながら、顕微鏡下の画像の色、さらには顕微鏡を含めた撮影システムにおける色評価に関して、これまで殆ど研究されてこなかった。
【０００７】  また、従来行われているように、光源色を変えるなど、観察者が自身の色の感覚（感性）により適宜に色を変更して観察することも、観察のテクニックとして重要である。その場合、このように撮影（診断）に感覚的な裁量範囲を残して置くにしても、ハード的には正確な色が表現できる条件を決めておく必要があり、基準の測定試料（既知の色＋既知の分光特性）そのものの画像採取と同様に、測定試料がどのような条件下で画像採取、観察されていたかについての履歴（情報）を正確に再現可能に記録しておく必要がある。しかしながら、上記従来のスライドガラスを用いた顕微鏡観察ではこのような記録ができなかった。
【０００８】  さらに、最終的に得られる画像の色（ディスプレイ上に出力された画像の色又はプリンタにより紙などの記録媒体上に出力された画像の色）と、顕微鏡下の色をマッチングさせることも必要である。しかしながら、上記従来のスライドガラスを用いた顕微鏡観察では、このようなマッチングもできなかった。
【０００９】  より詳しくは、顕微鏡と該顕微鏡から得られる測定試料の画像を採取する画像採取システムに上記従来のスライドガラスが適用された場合、測定試料の撮影により得られるカラー画像（可視領域）には、（ａ）顕微鏡を用いた測定試料の画像の撮影に使用するカラーカメラの撮像特性が不確定であるという課題、（ｂ）カラー画像の色評価基準となる基準色がどのように計測されていたかが不明確であるという課題（スライドガラスの使用上の課題）があった。
【００１０】  まず、上記項目（ａ）に関する課題は、使用するカラーカメラ間の分光感度特性が異なることに起因する。この課題は、製造メーカーが異なるカメラ間においてより顕著となる。通常、カメラの理想の分光感度特性は、ディスプレイへの発色系を基本として決定される。例えば、最近標準になりつつあるｓＲＧＢ色座標系を例にとると、その理想感度特性は、ｓＲＧＢ色座標系のそれぞれＲＧＢの発色の色度座標と、図１に示召されたＸＹＺ表色系の等色関数（ｘ（λ）、ｙ（λ）、ｚ（λ））から導き出される。
【００１１】  この表色系の理想分光感度特性は、通常マイナスの感度特性を有する（例えば、図２参照）。なお、他の座標系（例えば、ＰＡＬ、ＮＴＳＣ（１９５３）、ＣＩＥ  ＲＧＢ、ｓｏｎｙ社製のｔｒｉｎｉｔｒｏｎのＲＧＢの座標系）のいずれにおいてもマイナスの感度特性を有する。この特性に合致させるように、製造メーカーそれぞれでは、例えば、図３に示されたカメラの感度特性（生データ）に基づいてマトリックス演算を行い、例えば、図４に示されたようなカメラの感度特性（補正データ）を作り出している。
【００１２】  マイナス感度がない全部正値である理想的な分光特性としては図１に示されたＸＹＺ表色系の等色関数がある。これから任意の理想撮像特性は一対一で変換可能である。しかしながら、例えば、３板カメラのプリズムでこの理想撮像特性を作りだすのは困難なため、光学的に作り易い方法として、分光波長的に３等分的な特性値や図３に示されたカメラの感度特性（生データ）から作り出すのが一般的になっている。
【００１３】  ここで、例えば、図３に示されたカメラの感度特性（生データ）である基本的分光部分と、これを補正するためのマトリックス計算（以前はアナログ回路で処理）により得られた、例えば、図４に示されたカメラの感度特性（補正データ）である最終分光特性とは、製造メーカーそれぞれの特徴が出ている部分であり、彩度が強調されたり、赤みが強調されている。そのため、カラーカメラの場合、製造メーカーごとに分光感度特性が違っており、最終的な分光感度特性も明らかにされていない。
【００１４】  以上のように、製造メーカーが違えば、撮像装置であるカメラ以外は同じ条件で撮影した測定試料の画像でも、画像の色が違うという課題が内在していた。カメラの最終的な分光感度特性が明らかにされていないため、ユーザー側としては、未知の分光感度特性を有するカラーカメラを用いた測定を行わざるを得なかった。
【００１５】  したがって、従来のスライドガラスを用いた測定試料の撮影の場合、異なるカメラで得られた画像の色について、各画像間で整合性をとることができなかった。
【００１６】  一方、上記項目（ｂ）に関する課題は以下である。すなわち、顕微鏡を介して測定試料の撮影が行なわれる場合、測定試料の特徴的な差違を際立たせるため、光源の色温度（色味）が適宜調整され、必要に応じて色のバランスも調整され、観察者の見えが最もよいところの画像が採取される。そのため、最初の測定試料の画像の色に関するデータ値が無視されている場合が多く、絶対値的な値が見失われている。
【００１７】  さらに、色変換が簡単にできるソフトの充実等も加わり、ユーザーは簡単に、色値を変えてしまうとういう課題もある。そのため、結果的にオリジナルな計測値が無視され、変更されてしまう。オリジナル画像における色に関する計測値が変えられると、変更の道筋（変更条件の情報）が残らないため、オリジナルの計測値がどうであったかわからなくなってしまうという課題があった。
【００１８】  この発明は上述のような課題を解決するためになされたものであり、顕微鏡を使用して撮影された測定試料の画像の色評価及び色補正に使用可能な比較基準となる色情報が得られるスライドガラス、カバーガラス、及びこれらのうちいずれかを利用した病理診断システムを提供することを目的としている。
【００１９】  この発明に係るスライドガラスは、ガラス板と、該ガラス板の一方の面上に設けられた１以上のマイクロカラーフィルタ群を備え、具体的には、測定試料を観察するための顕微鏡と、該顕微鏡から得られる測定試料の画像を採取する撮像装置とを少なくとも有する画像採取システムにおいて、該顕微鏡に使用される。特に、上記１以上のマイクロカラーフィルタ群それぞれは、画像の色評価及び色補正に使用する比較基準となる色の採取を行うための２以上の色基準用マイクロカラーフィルタから構成される。また、上記１以上のマイクロカラーフィルタ群のうちの同一の群に属する２以上の色基準用マイクロカラーフィルタは、ガラス板の面上に互いに重なり合わないようにそれぞれ配置され、互いに異なる基準色をそれぞれ有し、かつ、それぞれの大きさが顕微鏡に備えられている対物レンズのうちの少なくとも１つを使用した際に得られる視界内に捕捉可能な範囲に調節されている。なお、上記色基準用マイクロカラーフィルタは、無彩軸上にプロットされる無彩度色を有する色基準用マイクログレーフィルタを含む。
【００２０】  なお、この明細書において、「撮像装置」には、カメラの他、ディジタルスライド（バーチャルスライド）、スキャナー、Ｖｉｒｔｕａｌ  Ｍｉｃｒｏｓｃｏｐｅ内の撮像部等、試料を撮影するコンポーネントが含まれる。また、「画像の色評価及び色補正」における「色」及び「比較基準となる色」における「色」とは、測定試料の分光分布より作られ、簡単には分光反射、分光透過に、測定試料照射に用いる光源分光分布、又は、放射分光そのものに、等色関数（ｘ（λ）、ｙ（λ）、ｚ（λ））等の分光特性（又は任意のＲ、Ｇ、Ｂ分光特性）を掛け合わせることにより得られる値、又はその変形数値（Ｌ＊ａ＊ｂ）等である。また、その値が意味する代表的な名称、例えば赤（ｒｅｄ）、黄色（ｙｅｌｌｏｗ）、青（ｂｌｕｅ）等又は特別な専門的名称（例えばマンセル色票値上の１．６ＹＲ  ６．３／３．９等）も指す。また、これは人間の視覚感覚に合致したものである。
【００２１】  ただし、顕微鏡を用いた測定試料の画像の色について、人間の目には同じ色と認識される色であっても、分光特性を測定すると互いに異なる場合がある。そのため、この明細書において、画像の色評価及び色補正に使用可能な比較基準となる「色情報」とは、上記の分光特性の情報を考慮した色に関する情報を示す。
【００２２】  また、上記「測定試料の分光分布」とは、測定試料そのものが有する分光分布を示す。例えば、通常の分光学的測定法により得られる分光反射率、分光透過率、分光放射率等が挙げられる。
【００２３】  この発明に係るスライドガラス（以下、必要に応じて、「色基準用マイクロフィルタ付スライドガラス」という）は、上記色基準用マイクロカラーフィルタの色特性（分光特性）を比較基準とすることにより、顕微鏡で撮影される測定試料の画像の色特性を客観的に評価することができる。
【００２４】  また、同一の測定試料が異なる撮像装置（例えば、分光感度の異なるカメラ）で撮影された場合あっても、色基準用マイクロカラーフィルタの色特性を測定することにより、これを比較基準として、異なる撮像装置で撮影された画像同士の色特性の差異を定量的に把握することができる。特に、製造メーカーの異なる撮像装置間で得られた画像の色特性の整合性をとることができる。そのため、例えば、異なる２つの撮像装置で撮影された画像のうち一方の色特性を補正し、他方の画像の色特性に一致させることもできる。
【００２５】  例えば、可能となる画像の色特性の補正としては、画像出力手段で出力される最終的な画像を、顕微鏡観察で得られる目視画像に近くなるように色合わせする色補正、ユーザーの望む色への調整、ユーザーの望む色への調整を行った後にさらに最初のオリジナルな画像の色特性に戻す補正などが挙げられる。さらに、異なる撮像装置で撮影された画像を、異なる画像出力手段で出力した画像（ディスプレイモニタ上の出力画像、プリンタを用いた紙などの記録媒体上の出力画像）の評価及び較正も確実にできるようになる。
【００２６】  また、この発明に係る色基準用マイクロフィルタ付スライドガラスによれば、画像出力手段で出力される最終的な画像を得るまでに、オリジナルの測定試料の画像に様々な加工が施される場合であっても、色基準用マイクロカラーフィルタの色特性（分光特性）の測定条件（例えば、撮影時の光源の色温度等の特性、レンズ系特性、感度特性、内部ソフトによる色値変更の度合い等）を行われた加工のステップごとに記録しておくことにより、色基準用マイクロカラーフィルタの色特性（分光特性）が加工ごとにどのように変化したか把握することが容易にできる。
【００２７】  また、この発明に係る色基準用マイクロフィルタ付スライドガラスを用いることにより、顕微鏡下の定量（例えば、測定試料中に含まれる特定物質の定量等）、特に吸収情報を用いての定量が可能になる。
【００２８】  さらに、上記定量は、ＲＧＢのカラーカメラではなく、分光イメージングセンサ（例えば、特許第２７１３８３８号公報に記載の分光イメージングセンサ）を受光センサとして行ってもよい。これにより、例えば、染色された測定試料の濃度を測定することなどもできる。このような場合、色基準用マイクロカラーフィルタとしては、例えば、基準色材を基準となる濃度で含有させたフィルタを用意すればよい。これを基準に顕微鏡下における測定試料中の特定の物質の未知濃度の決定ができる。
【００２９】  また、この発明に係るスライドガラス（色基準用マイクロフィルタ付スライドガラス）は、測定試料の画像の不可視カラーに関する情報についても上述の可視領域に含まれる色の情報を取り扱う場合と同様に取得してもよいこととする。
【００３０】  測定試料の不可視カラーの画像は、人間の眼では認識することができない被写体の物理的状態又は化学的状態に関する極めて有益な情報を含んでいるため、当該スライドガラスを使用して、顕微鏡を用いた測定試料の撮影をする場合には、取得する画像情報に、不可視カラーの画像の情報も含めてもよいこととする。
【００３１】  ここで、まず、「不可視カラー」とは、測定試料の画像から放射される放射光に含まれる可視光（波長が３８０〜７８０ｎｍの範囲にある光）以外の不可視光（例えば、波長が２００〜３８０ｎｍの範囲にある紫外光又は波長が７８０ｎｍ〜２０μｍの範囲にある光を近赤外光）に基づく色を示す。
【００３２】  測定試料の画像から得られる不可視光の分光分布を用いて、可視光の分光分布を取り扱う場合と同様の手法により色値（不可視）を求めることができる。また、該色値に適宜な積分関数を掛け合わせて別の色値も求めることができる。さらに、このようにして求めた色値が意味する代表的な名称を色名とする。この明細書では、これらの不可視光に基づいて決定される色名を総称して、「不可視カラー」と呼ぶ。
【００３３】  なお、「基準色」とは、通常、赤、緑、黄、青等色相の中でも混ざりのない色と言われている、いわゆるユニーク色を理想とするが、各々色間の色相が等歩度に離れていれば良く、厳密な色相値を定義する必要はない。
【００３４】  例えば、後述する（１）及び（２）の色基準設定方法に則れば、基準色は２色以上、好ましくは３色以上で有効となるため、例えば、３色の場合、それぞれの基準色間の色相角が約１２０度、４色の場合、約９０度、６色の場合約６０度、１２色の場合約３０度というように、色相間隔がなるべく等歩度になるように設定された色であれば、どの色相が基準になっても問題はない。ただし、当該色基準用マイクロフィルタ付スライドガラスが使用される画像採取システムにおいて、色表示可能な色が必要最低条件になる。
【００３５】  また、後述する染色用基準色（３）の場合は、染料により発色する色が基準色となる。この場合、最低２色から基準の色とすることができ、最低２色間で出来うる色の範囲内での色値確認＆色調整を行う。なお、通常、厳密には無彩軸の色も合わせる（すなわち、何も試料が無い状態の色を白（グレイ）と合わせる）ため、それを含めると３色を用いていることになる。
【００３６】  さらに、後述する不可視カラーの基準（５）も、基本的に可視光領域と同じ考えのものである。すなわち、（１）及び（２）の基準と同じように、測定された各部位ごとの分光値にカメラ等、撮像装置の感度関数を掛け合わせて得られた不可視カラー値の色相が等歩度になるような試料を選択し、それを測定して設定された色を基準としても良く、また、（３）の基準と同じように、基準の染料で染めた試料、各部位ごとの分光値に撮像装置の感度関数を掛け合わせて得られた不可視カラー値そのものを基準値としても良い。
【００３７】  また、この発明に係る色基準用マイクロフィルタ付スライドガラスにおいて、１つのマイクロカラーフィルタ群（例えば、後述の図５中の顕微鏡観察用カラーパレット部３ａ、３ｂ、３ｃ、３ｄを参照）に含まれる色基準用マイクロカラーフィルタは２以上であり、かつ、同一のマイクロカラーフィルタ群に属する上記の２以上の色基準用マイクロカラーフィルタは互いに異なる基準色をそれぞれ有している。すなわち、この発明に係る色基準用マイクロフィルタ付スライドガラスにおいて、１つのマイクロカラーフィルタ群には、全色相のうちの少なくとも２色以上の基準色の情報が含まれている。
【００３８】  この発明に係る色基準用マイクロフィルタ付スライドガラスにおいて、マイクロカラーフィルタ群（例えば、後述の図５中の顕微鏡観察用カラーパレット部３ａ、３ｂ、３ｃ、３ｄを参照）が、顕微鏡に備えられている対物レンズごとに設けられている。そして、１以上のマイクロカラーフィルタ群のうち同一群に属する２以上の色基準用マイクロカラーフィルタは、それぞれのサイズが対応する対物レンズを使用した際に得られる視界内に捕捉可能な範囲に調節されていることが好ましい。
【００３９】  これにより、ユーザーは、顕微鏡に備えられている対物レンズのいずれを使用した場合であっても、対物レンズの倍率に合致した大きさのマイクロカラーフィルタ群を視界内に捕捉することができ、測定試料の画像の色評価及び色補正に使用する比較基準となる色を正確かつ容易に把握することができる。
【００４０】  さらに、この発明に係る色基準用マイクロフィルタ付スライドガラスにおいて、１以上のマイクロカラーフィルタ群のうちのいずれかに属する２以上の色基準用マイクロカラーフィルタは、目視可能なサイズをそれぞれ有するのが好ましい（後述の図５中の大面積カラーパレット部２を参照）。
【００４１】  これにより、ユーザーは、顕微鏡を使用せずとも、どのような色の色基準用マイクロフィルタを用いたマイクロカラーフィルタ群を使用しているのかを容易に把握することができる。また、ユーザーは、色基準用マイクロフィルタの分光特性を、顕微鏡を使用せずに測定することができる。
【００４２】  また、この発明に係る色基準用マイクロフィルタ付スライドガラスにおいて、１以上のマイクロカラーフィルタ群のうち同一群に属する２以上の色基準用マイクロカラーフィルタは、互いに同一サイズを有するのが好ましい。これにより、ガラス板の面上に各色基準用マイクロカラーフィルタをコンパクトに密集させた状態で並置させることが容易にでき、１つのマイクロカラーフィルタ群をコンパクトに構成することが容易にできる。
【００４３】  この発明に係る色基準用マイクロフィルタ付スライドガラスにおいて、１以上のマイクロカラーフィルタ群は、基準色に対して等歩度の彩度差を有する中間彩度色を有する１以上の色基準用マイクロカラーフィルタをさらに有してもよい。これにより、画像の色評価及び色補正をより正確に行うことが可能となる。
【００４４】  この発明に係る色基準用マイクロフィルタ付スライドガラスにおいて、１以上のマイクロカラーフィルタ群は、無彩軸上にプロットされる無彩度色を有する１以上の色基準用マイクロカラーフィルタをさらに有してもよい。これにより、画像の色（特にニュートラル軸の色）の評価及び補正をより正確に行うことが可能となる。
【００４５】  さらに、この発明に係る色基準用マイクロフィルタ付スライドガラスにおいて、各基準色は、赤、緑、青、シアン、マゼンタ、又は、黄であることが好ましい。これにより、画像の色評価及び色補正をより正確かつより容易に行うことが可能となる。
【００４６】  この発明に係る色基準用マイクロフィルタ付スライドガラスにおいて、１以上のマイクロカラーフィルタ群のうち同一群に属する２以上の色基準用マイクロカラーフィルタは、それぞれ矩形形状を有するとともに、互いに接触しないように所定の間隔をあけて配置される。この場合、当該色基準用マイクロフィルタ付スライドガラスは、各色基準用マイクロカラーフィルタの全周縁部を隙間無く囲むように配置された環状の黒色マイクロフィルタをさらに備えるのが好ましい。これにより、観察している部位以外からの回り込み光（例えば、観察の際のスライドガラスへの背景光等）が顕微鏡内に入るのを充分に低減することができる。
【００４７】  また、この発明に係る色基準用マイクロフィルタ付スライドガラスにおいて、１以上のマイクロカラーフィルタ群のうち同一群に属する２以上の色基準用マイクロカラーフィルタは、それぞれ矩形形状を有するとともに、隙間無く密集した状態で並置されてもよい。これにより、ガラス板の面上に各色基準用マイクロカラーフィルタをコンパクトに密集させた状態で並置させることがより確実かつより容易にでき、１つのマイクロカラーフィルタ群をコンパクトに構成することがより確実かつより容易にできる。この場合においても、当該色基準用マイクロフィルタ付スライドガラスは、各マイクロカラーフィルタ群の全周縁部を隙間無く囲むように配置された環状の黒色マイクロフィルタをさらに備えてもよい。これにより、観察している部位以外からの回り込み光（例えば、観察の際のスライドガラスへの背景光等）が顕微鏡内に入るのを充分に低減することができる。
【００４８】  この発明に係る色基準用マイクロフィルタ付スライドガラスにおいて、ガラス板の面上には、測定試料を載置する測定試料載置部がさらに設けられている。これにより、ユーザーは、画像の取得と画像の色評価及び色補正を同時に行うことができる。この場合、測定試料載置部の領域内に、マイクロカラーフィルタ群のうちの少なくとも１つが設けられるのが好ましい。これにより、ユーザーは、画像の取得と画像の色評価及び色補正を同時に行うことがより容易にできる。
【００４９】  次に、この発明に係る色基準用マイクロフィルタ付スライドガラスでは、２以上の色基準用マイクロカラーフィルタがガラス板上にプリントされた構造を有するが、これら色基準用マイクロカラーフィルタは、該ガラス板上に測定試料載置部に当節されるカバーガラス上にプリントされてもよい。すなわち、当該カバーガラス（この発明に係るカバーガラス）の一方の面上には、前記画像の色評価及び色補正に使用する比較基準となる色の採取を行うための１以上の色基準用マイクロカラーフィルタが配置される。このとき、色基準用マイクロカラーフィルタは、それぞれのサイズが顕微鏡に備えられている対物レンズのうちの少なくとも１つを使用した際に得られる視界内に捕捉可能な範囲内に調節されている。
【００５０】  なお、この発明に係るカバーガラスにおいて、色基準用マイクロカラーフィルタは、当該カバーガラスの重心に対して非対称に配置されるのが好ましい。このように色基準用マイクロカラーフィルタの非対称配置により、当該カバーガラスの上面と裏面とを明確に区別することができる。ただし、当該カバーガラスは、上面と裏面とを区別するための識別マークを備えてもよい。
【００５１】  さらに、上述のような構造を有するスライドガラス（この発明に係るスライドガラス）やカバーガラス（この発明に係るカバーガラス）は、病理診断システムへの適用が可能である。例えば、上記色基準用マイクロフィルタ付スライドガラスが適用される場合、当該病理診断システムは、このスライドガラス上に載置された測定試料の画像を利用して病理診断を行う。また、上記色基準用マイクロカラーフィルタを有するカバーガラスが適用される場合、当該病理診断システムは、スライドガラス上に載置された測定試料の、該カバーガラスを介して撮影された画像を利用して病理診断を行う。
【００５２】  具体的に、この発明に係る病理診断システムは、画像採取システムと、画像変換器と、モニタを少なくとも備え、該画像採取システムにより採取された測定試料の画像データを、有線、無線を問わず、通信回線（ＬＡＮ、インターネットなどの電子通信回線、衛星回線、電話回線など）を利用して転送する遠隔病理診断も可能である。
【００５３】  上記画像採取システムは、測定試料を観察するための顕微鏡と、該顕微鏡から得られる前記測定試料の画像を採取する撮像装置であって、カメラの他、ディジタルスライド（バーチャルスライド）、スキャナー、Ｖｉｒｔｕａｌ  Ｍｉｃｒｏｓｃｏｐｅ内の撮像部等、試料を撮影するコンポーネントを含む撮像装置とを少なくとも有する。上記画像変換器は、画像採取システムにおいて撮影された色基準用マイクロカラーフィルタの色情報を直接、又は通信回線等を介して取り込み、これら色基準用マイクロカラーフィルタに基づいて、表示されるべき画像の色を調節する。また、上記モニタは、画像変換器により調節された色の画像を表示する。
【００５４】  なお、この発明に係る各実施例は、以下の詳細な説明及び添付図面によりさらに十分に理解可能となる。これら実施例は単に例示のために示されるものであって、この発明を限定するものと考えるべきではない。
【００５５】  また、この発明のさらなる応用範囲は、以下の詳細な説明から明らかになる。しかしながら、詳細な説明及び特定の事例はこの発明の好適な実施例を示すものではあるが、例示のためにのみ示されているものであって、この発明の思想及び範囲における様々な変形および改良はこの詳細な説明から当業者には自明であることは明らかである。
【図面の簡単な説明】
【００５６】  図１は、ＸＹＺ表色系の等色関数（ｘ（λ）、ｙ（λ）、ｚ（λ））を示すグラフである。【００５７】  図２は、ｓＲＧＢ色座標系の理想感度特性の一例を示すグラフである。【００５８】  図３は、顕微鏡撮影に使用されるカメラの感度特性（生データ）の一例を示すグラフである。【００５９】  図４は、顕微鏡撮影に使用されるカメラの感度特性（補正データ）の一例を示すグラフである。【００６０】  図５は、この発明に係るスライドガラス（色基準用マイクロフィルタ付スライドガラス）の第１実施例における基本構成を概略的に示す正面図である。【００６１】  図６は、図５に示されたスライドガラス（色基準用マイクロフィルタ付スライドガラス）に備えられる各マイクロフィルタＭＦ１のいずれかに割り当てられる主要な基準色の色度座標（ａ＊ｂ＊空間）上の値の一例を示すグラフである。【００６２】  図７は、赤色（基準色）のフィルタ特性を示し、図中、ｒ１は赤（高彩度色）、ｒ２は赤（中彩度色）、ｒ３は赤（低彩度色）をそれぞれ示す。【００６３】  図８は、黄色（基準色）のフィルタ特性を示し、図中、ｙ１は黄（高彩度色）、ｙ２は黄（中彩度色）、ｙ３は黄（低彩度色）をそれぞれ示す。【００６４】  図９は、緑色（基準色）のフィルタ特性を示し、図中、ｇ１は緑（高彩度色）、ｇ２は緑（中彩度色）、ｇ３は緑（低彩度色）をそれぞれ示す。【００６５】  図１０は、シアン色（基準色）のフィルタ特性を示し、図中、ｃｙ１はシアン（高彩度色）、ｃｙ２はシアン（中彩度色）、ｃｙ３はシアン（低彩度色）をそれぞれ示す。【００６６】  図１１は、青色（基準色）のフィルタ特性を示し、図中、ｂｌ１は青（高彩度色）、ｂｌ２は青（中彩度色）、ｂｌ３は青（低彩度色）をそれぞれ示す。【００６７】  図１２は、紫色（基準色）のフィルタ特性を示し、図中、ｐｒ１は紫（高彩度色）、ｐｒ２は紫（中彩度色）、ｐｒ３は紫（低彩度色）をそれぞれ示す。【００６８】  図１３Ａは、この発明に係るスライドガラス（色基準用マイクロフィルタ付スライドガラス）の第２実施例における基本構成を概略的に示す正面図であり、図１３Ｂは、カバーガラスを示す正面図である。【００６９】  図１４は、図１３Ａに示された測定試料載置部中の領域Ｒ１の拡大図である。【００７０】  図１５は、図１４に示された領域Ｒ１中の領域Ｒ３の拡大図である。【００７１】  図１６Ａは、この発明に係るスライドガラス（色基準用マイクロフィルタ付スライドガラス）の第３実施例における基本構成を概略的に示す正面図であり、図１６Ｂは、カバーガラスを示す正面図である。【００７２】  図１７は、図１６Ａに示されたスライドガラス（色基準用マイクロフィルタ付スライドガラス）を用いて撮影された測定試料の画像を出力する場合の表示例を説明するための図である。【００７３】  図１８は、図１６Ａに示されたスライドガラス（色基準用マイクロフィルタ付スライドガラス）を用いて撮影した測定試料の画像を出力する場合の他の表示例を説明するための図である。【００７４】  図１９は、各マイクロカラーフィルタＭＦ１の色特性値（分光特性値）の設定に使用するＬ＊ａ＊ｂ＊表色系の一例を説明するための図である。【００７５】  図２０は、ヘマト��シリン・エオシン（ＨＥ）染色法により測定試料を染色した場合に得られる色値をＬ＊ａ＊ｂ＊表色系におけるａ＊値及びｂ＊値として表現した場合に得られるグラフである。【００７６】  図２１は、アザン染色法により測定試料を染色した場合に得られる色値をＬ＊ａ＊ｂ＊表色系におけるａ＊値及びｂ＊値として表現した場合に得られるグラフである。【００７７】  図２２は、渡辺の鍍銀法により測定試料を染色した場合に得られる色値をＬ＊ａ＊ｂ＊表色系におけるａ＊値及びｂ＊値として表現した場合に得られるグラフである。【００７８】  図２３は、エラスチカ、ワンギーソン染色法により測定試料を染色した場合に得られる色値をＬ＊ａ＊ｂ＊表色系におけるａ＊値及びｂ＊値として表現した場合に得られるグラフである。【００７９】  図２４は、マッソントリクローム染色法（ＭＴ）により測定試料を染色した場合に得られる色値をＬ＊ａ＊ｂ＊表色系におけるａ＊値及びｂ＊値として表現した場合に得られるグラフである。【００８０】  図２５は、この発明に係るスライドガラス（色基準用マイクロフィルタ付スライドガラス）を使用した画像処理の一例を説明するための図である。【００８１】  図２６は、この発明に係るスライドガラス（色基準用マイクロフィルタ付スライドガラス）を使用した画像処理の一例を説明するための図である。【００８２】  図２７Ａ及び２７Ｂは、この発明に係るカバーガラスの第１及び第２実施例における基本構成を概略的に示す正面図である。【００８３】  図２８は、この発明に係る病理診断システムとして、特に遠隔病理診断を行う場合の概略システム構成を示す図である。【００８４】  図２９は、図２８に示された病理診断システムにおける遠隔病理診断を開始するまでの前処理を説明するためのフローチャートである。
【発明を実施するための最良の形態】
【００８５】  以下、この発明に係るスライドガラス（色基準用マイクロフィルタ付スライドガラス）、カバーガラス、病理診断システムの各実施例を、図５〜１２、１３Ａ、１３Ｂ、１４〜１５、１６Ａ、１６Ｂ、１７〜２６、２７Ａ、２７Ｂ、２８及び２９を用いて詳細に説明する。なお、図面の説明において、同一または相当部分には同一符号を付し、重複する説明は省略する。
（スライドガラスの第１実施例）【００８６】  図５は、この発明に係るスライドガラス（以下、「色基準用マイクロフィルタ付スライドガラス」という）の第１実施例における基本構成を概略的に示す正面図である。【００８７】  図５に示されたように、第１実施例に係る色基準用マイクロフィルタ付スライドガラス１０は、ガラス板１（例えば、サイズが、２６ｍｍ×７６ｍｍ）と、ガラス板１の上面Ｆ１に形成される大面積カラーパレット部２と、４つの顕微鏡観察用カラーパレット部３ａ，３ｂ，３ｃ，３ｄと、名前ラベル４とから構成されている。【００８８】  図５と図１５に示されたように、大面積カラーパレット部２は、それぞれ異なる色味を有するマイクロカラーフィルタ（透過体）ＭＦ１が少なくとも２個（図５においては２２個）はめ込まれるか、張り付けられるか、あるいはプリントされた状態で並置されたマイクロカラーフィルタ群配置エリア２２と、このマイクロカラーフィルタ群配置エリア２２の外縁部を囲む黒色マイクロフィルタＭＦ２が配置された黒色マイクロフィルタ配置エリア２４とから構成されている。【００８９】  マイクロカラーフィルタ群配置エリア２２の各マイクロカラーフィルタＭＦ１は、略矩形の形状を有しており、そのサイズは、例えば、４ｍｍ×３ｍｍ程度である。この大面積カラーパレット部２は、各マイクロカラーフィルタＭＦ１の分光特性を、顕微鏡を用いずに測定するために設けられている。【００９０】  黒色マイクロフィルタ配置エリア２４における黒色マイクロフィルタＭＦ２は、観察している部位以外からの回り込み光（例えば、観察の際のスライドガラスへの背景光等）が顕微鏡内に入るのを十分に低減するために設けられている。この黒色マイクロフィルタ配置エリア２４は、例えば、ブラックレジスト等の公知の技術によって、ガラス板１の上面Ｆ１に形成することができる。なお、外部からの回り込み光も含めて測定する場合には、黒色マイクロフィルタ配置エリア２４を省いた構成としてもよい。【００９１】  顕微鏡観察用カラーパレット部３ａ、３ｂ、３ｃ、３ｄ（マイクロカラーフィルタ群）は、それぞれの大きさが大面積カラーパレット部２に対して一定の相似比で縮小されていること以外は大面積カラーパレット部２と同様の構成を有する。顕微鏡観察用カラーパレット部３ａ、３ｂ、３ｃ、３ｄの大きさは、使用する顕微鏡に備えられている倍率の異なる対物レンズ（例えば、１０倍、２０倍、４０倍、１００倍等の異なる倍率を有する対物レンズ）のいずれかに合致した大きさを有している。そのため、顕微鏡の対物レンズを異なる倍率のものに交換して同時に取り込める視野の面積が変わっても、観察者は顕微鏡観察用カラーパレット部３ａ、３ｂ、３ｃ、３ｄのうちの何れかを必ず視界中に捕らえることが可能となる。【００９２】  ガラス板１の外延部（図５においては、矩形状の上面Ｆ１の４つの角部のうちの１つ）には、切り欠き部１ａが設けられている。これにより、ガラス板１の上面Ｆ１と裏面とを使用者が容易に識別可能となる。また、名前ラベル４は、測定試料の名前や測定試料の観察条件等のメモ等を書き込むために用意されている。【００９３】  また、これら大面積カラーパレット部２及び顕微鏡観察用カ���ーパレット部３ａ、３ｂ、３ｃ、３ｄのそれぞれのマイクロカラーフィルタＭＦ１及び黒色マイクロフィルタＭＦ２は、同一条件（同一行程、同一時刻）で印刷されている。そのため、印刷部位の諸特性が等しいので、等しい分光特性を有する。【００９４】  次に、大面積カラーパレット部２及び顕微鏡観察用カラーパレット部３ａ、３ｂ、３ｃ、３ｄのそれぞれに設けられるマイクロカラーフィルタＭＦ１について説明する。各マイクロカラーフィルタＭＦ１は、色相的に等歩度になるように選択された色、例えば、赤、緑、青、シアン、マゼンタ、イエローの主要な基準色のうちの６色からなる透過物質（色材）によりそれぞれ構成されている。【００９５】  基準色は、もう少し細かく８色以上、１０色以上、又は、１２色以上としてもよい。これら基準色を薄めた数段階の色味（主要な基準色から彩度が段階的に薄められた色度特性を有する色）からなるフィルタもさらに配置してもよい。さらに、上記色味を有するフィルタ以外にも、無彩色（透明、グレイ、黒）のフィルタも配置されてよい。簡単に主要３原色（赤、緑、青）のみの３つのマイクロカラーフィルタＭＦ１だけで大面積カラーパレット部２及び顕微鏡観察用カラーパレット部３ａ、３ｂ、３ｃ、３ｄが構成されてもよい。【００９６】  このように、基準色を薄めた数段階の色味からなるフィルタ、並びに、無彩色（透明から黒）のフィルタを省略した構成としても最低限の色彩の基準になり得る。無彩色のフィルタを配置する場合に関しては、例えば、散乱体の測定試料の観察を行う必要がある場合、散乱体を違えたフィルタの並びであってもよい。これにより、顕微鏡用の散乱体基準として使用することができる。【００９７】  ここで、「主要な基準色」とは、通常のディスプレイ系で表現できる色度座標内に入る色であり、例えば、図６に示された色度座標（ａ＊ｂ＊空間）に合致するように、設計された分光透過率特性を有する色である。また、「分光透過率特性」とは、例えば、図７〜図１２に示されたようなフィルタの透過率特性がその代表例である。【００９８】  なお、図７は赤色（基準色）のフィルタ特性を示し、図中、ｒ１は赤（高彩度色）、ｒ２は赤（中彩度色）、ｒ３は赤（低彩度色）をそれぞれ示す。図８は黄色（基準色）のフィルタ特性を示し、図中、ｙ１は黄（高彩度色）、ｙ２は黄（中彩度色）、ｙ３は黄（低彩度色）をそれぞれ示す。さらに、図９は緑色（基準色）のフィルタ特性を示し、図中、ｇ１は緑（高彩度色）、ｇ２は緑（中彩度色）、ｇ３は緑（低彩度色）をそれぞれ示す。【００９９】  図１０はシアン色（基準色）のフィルタ特性示し、図中、ｃｙ１はシアン（高彩度色）、ｃｙ２はシアン（中彩度色）、ｃｙ３はシアン（低彩度色）をそれぞれ示す。図１１は青色（基準色）のフィルタ特性を示し、図中、ｂｌ１は青（高彩度色）、ｂｌ２は青（中彩度色）、ｂｌ３は青（低彩度色）をそれぞれ示す。さらに、図１２は紫色（基準色）のフィルタ特性を示し、図中、ｐｒ１は紫（高彩度色）、ｐｒ２は紫（中彩度色）、ｐｒ３は紫（低彩度色）をそれぞれ示す。【０１００】  また、主要な基準色、並びに、主要な基準色から彩度が段階的に薄められた色度特性を有する色のマイクロフィルタは、例��ば、マイクロフィルタの厚さの調節、色の原料（各色材）の濃度を薄めるなどの技術により形成され得る。【０１０１】  顕微鏡撮影の場合、対物レンズが交換されたとき、高倍率になるほど、レンズの枚数並びにその厚みに伴い暗くなり、通常、短波長側の透過率減少の理由から、黄色みが増す場合が多い。すなわち、同一試料の観察においても、レンズ交換等の測定パラメータの変更により、色味が違ってしまうことが起きる。その僅かな色違いを検知するには、レンズを交換した時に、同一の測定試料を測定すればよい。その際には対物レンズを変えた時、測定試料の全体配置並びにサイズが変わらない方が都合が良い。【０１０２】  そのため、当該色基準用マイクロフィルタ付スライドガラス１０では、対物レンズの交換にあわせて、視野に映る測定試料が同一の形状及びサイズに表示されるようになっている。具体的には、対物レンズの交換幅が、例えば、２０倍、４０倍、１００倍の時、それに合わせて、顕微鏡観察用カラーパレット部３ｂ、３ｃ、３ｄのそれぞれが、最低倍率、例えば１０倍のパレット３ａに対して、１／２、１／４、１／１０となるように選択できるようになっている。【０１０３】  なお、この第１実施例では、当該色基準用マイクロフィルタ付スライドガラス１０は、以下のように使用される。すなわち、色基準用マイクロフィルタ付スライドガラス１０を用意するとともに、測定試料を載置するためのスライドガラスを用意する。そして、それらを入れ替えて、色基準及び測定試料が別々に撮影される。
（スライドガラスの第２実施例）【０１０４】  図１３Ａは、この発明に係るスライドガラス（色基準用マイクロフィルタ付スライドガラス）の第２実施例における基本構成を概略的に示す正面図であり、図１３Ｂは、カバーガラスを示す正面図である。また、図１４は図１３Ａに示された測定試料載置部５中の領域Ｒ１の拡大図である。図１３Ａ及び図１４に示された領域Ｒ１は、例えば、１０倍の倍率の対物レンズを使用した場合の顕微鏡視野の領域を示す。図１４中のＲ２は採取画像視野の領域を示す。さらに、図１５は図１４に示された領域Ｒ１中の領域Ｒ３の拡大図である。図１４及び図１５に示された領域Ｒ３は、例えば、１００倍の倍率の対物レンズを使用した場合の顕微鏡視野の領域（或いは採取画像領域）を示す。【０１０５】  図１３Ａに示されたように、第２実施例に係る色基準用マイクロフィルタ付スライドガラス１０Ａは、ガラス板１（例えば、サイズが、２６ｍｍ×７６ｍｍ）と、ガラス板１の上面Ｆ１に形成される大面積カラーパレット部２と、測定試料載置部５と、バーコード６及びメモ欄７とから構成されている。ガラス板１及び大面積カラーパレット部２は、上述の第１実施例に係る色基準用マイクロフィルタ付スライドガラス１０と同様である。【０１０６】  測定試料載置部５は、測定試料が載置される部分であり、該測定試料を挟んだ状態で図１３Ｂのカバーガラス２０が当接される。図１４及び図１５に示されたように、この色基準用マイクロフィルタ付スライドガラス１０Ａにおいて、測定試料載置部５には、複数の顕微鏡観察用カラーパレット部３ｅが互いに重なり合わないように所定の間隔を空けて並置されている。これら各顕微鏡観察用カラーパレット部３ｅは、大面積カラーパレット部２に対して一定の相似比で縮小されていること以外は大面積カラーパレット部２と同様の構成を有する。例えば、この色基準用マイクロフィルタ付スライドガラス１０Ａでは、各顕微鏡観察用カラーパレット部３ｅのサイズは、例えば、５０μｍ×４０μｍである。【０１０７】  図１３Ａに示されたバーコード６は、顕微鏡撮影により得られる測定試料の画像の色情報及び／又は画像取得時の測定条件（例えば、光源の種類、カメラの分光感度など）等の附加情報を記録しておくために用意されている。なお、このバーコード６は、例えば、黒色の色の色材で形成してもよく、黒色以外の色の色材で形成されてもよい。また、図１３Ａに示されたメモ欄７も、バーコード６と同様の目的で設けられている。このメモ欄７は、例えば、磁性体を塗布することにより形成されてもよい。【０１０８】  今後は、医療用Ｘ線のフィルムと同様に、顕微鏡用のプレパラート（スライドガラス＋測定試料）も、デジタル化技術の発展に伴って、顕微鏡画像（及び附加情報）の電子化記録の要望が大きくなっていくと考えられる。この場合、顕微鏡撮影により得られる測定試料の画像の色についての基本履歴を明確に記録しておくことの重要性も増してくると考えられる。【０１０９】  この場合、顕微鏡撮影により得られる測定試料の画像の色についてのオリジナル情報（すなわちプレパラートそのものも）の保管形態も継続されると考えられる。その際には、これらバーコード６やメモ欄７を設けること���より、そのプレパラート（スライドガラス＋測定試料）自身に附加情報を付け加えることができる。なお、附加情報としては、例えば、測定日時、試料名、撮影条件（撮影光源、試料レンズ、使用カメラ等）等が挙げられる。【０１１０】  この色基準用マイクロフィルタ付スライドガラス１０Ａは、測定試料を載置する測定試料載置部５の領域に使用される対物レンズに合わせたサイズを有する色基準用マイクロカラーフィルタがはめ込まれか、貼り付けられるか、あるいはプリントされた構成を有しており、測定試料載置部５の領域が撮影された場合、必ず視界中に、測定試料Ｓ１とともに基準のマイクロカラーフィルタＭＦ１を確認することができる。【０１１１】  そのため、測定試料を顕微鏡で観察する際に、基準色用のスライドガラスと測定試料用のスライドガラスを別々に用意する必要がなく、観察者は、顕微鏡観察用カラーパレット部３ｅと測定試料Ｓ１の撮影を同時に行い、色基準用マイクロカラーフィルタの撮影から得られる色の情報の記録、及び、色の自動調整を行うことができる。【０１１２】  なお、この第２実施例において、色基準用マイクロカラーフィルタは、ガラス板１の上面Ｆ１に埋め込まれるか、あるいはプリントされているが、該ガラス板１の測定試料載置部５に当接されるカバーガラス２０上に埋め込まれるか、プリントされてもよい（この発明に係るカバーガラス）。
（スライドガラスの第３実施例）【０１１３】  図１６Ａは、この発明に係るスライドガラス（色基準用マイクロフィルタ付スライドガラス）の第３実施例における基本構成を概略的に示す正面図であり、図１６Ｂは、カバーガラスを示す正面図である。【０１１４】  図１６Ａに示されたように、第３実施例に係る色基準用マイクロフィルタ付スライドガラス１０Ｂは、ガラス板１（例えば、サイズが、２６ｍｍ×７６ｍｍ）と、ガラス板１の上面Ｆ１に形成される大面積カラーパレット部２と、顕微鏡観察用カラーパレット部３ａ、３ｂ、３ｃ、３ｄと、測定試料載置部５ａと、位置決め基準マーク８、バーコード６及びメモ欄７とから構成されている。図１６Ｂのカバーガラス２０は、測定試料を挟んだ状態でガラス板１に当接される。【０１１５】  ガラス板１、大面積カラーパレット部２及び顕微鏡観察用カラーパレット部３ａ、３ｂ、３ｃ、３ｄは、上述の第１実施例に係る色基準用マイクロフィルタ付スライドガラス１０と同様である。また、バーコード６及びメモ欄７は、上述の第２実施例に係る色基準用マイクロフィルタ付スライドガラス１０Ａと同様である。【０１１６】  図１６Ａに示された測定試料載置部５ａは、顕微鏡観察用カラーパレット部３ｅが設けられていないこと以外は、上述の第２実施例に係る色基準用マイクロフィルタ付スライドガラス１０Ａの測定試料載置部５と同様の構成を有している。【０１１７】  位置決め基準マーク８は、顕微鏡観察用カラーパレット部３ａ、３ｂ、３ｃ、３ｄを撮影する場合に、色基準用マイクロフィルタ付スライドガラス１０Ｂの顕微鏡台（例えば、図２９中のＸ−Ｙステージ３１１に相当）上での位置決めに供される。【０１１８】  例えば、顕微鏡による病理診断等が自動化されていくことになると、スライドガラス上の測定試料Ｓ１が自動的に測定され、検査等も自動化されるようになることが考えられる。図１６Ａに示された色基準用マイクロフィルタ付スライドガラス１０Ｂは、このような場面での使用を想定している。【０１１９】  色基準用マイクロフィルタ付スライドガラス１０Ｂを用いた測定試料の撮影は、例えば、以下のようにして行うことができる。すなわち、色基準用マイクロフィルタ付スライドガラス１０Ｂが複数格納されたケースから、色基準用マイクロフィルタ付スライドガラス１０Ｂが１枚ずつ取り出され、顕微鏡台にセットできるような機構を用いて、該スライドガラス１０Ｂが顕微鏡台上にセットされる。スライドガラス１０Ｂがセットされた後は、顕微鏡視野中の予め決定された座標位置に位置決め基準マーク８が一致するように顕微鏡台が移動する。【０１２０】  座標位置に位置決め基準マーク８が一致した後、例えば、１０倍、２０倍、４０倍、１００倍等の倍率の異なる対物レンズを使用して顕微鏡観察用カラーパレット部３ａ、３ｂ、３ｃ、３ｄが撮影され、倍率の異なる対物レンズのそれぞれの倍率に合致したマイクロカラーフィルタＭＦ１が撮影される。その後、再び顕微鏡台を移動させて、顕微鏡視野中にスライドガラス１０Ｂの測定試料載置部５ａが入るように調節される。以上の動作を経て、測定試料載置部５ａ中の測定試料Ｓ１が撮影される。【０１２１】  以上のように顕微鏡から得られた測定試���の画像は、コンピュータ等を含む画像採取システムに取り込まれ、これに備えられている自動検査ソフトに従い自動検査される。また、測定試料の画像と顕微鏡観察用カラーパレット部３ａ  ３ｂ、３ｃ、３ｄのいずれかの画像が合成される。そして、この合成画像がモニタやプリンタ等の画像出力部から出力される。【０１２２】  なお、顕微鏡から得られた測定試料の画像は、ＬＡＮ、インターネット、電話回線、衛星回線など、有線、無線を問わず、既存の通信回線を介して別の端末に転送されてもよい（遠隔病理診断システム）。また、この合成画像には、バーコード６及び／又はメモ欄７に記載の情報が含まれてもよい。これにより、撮影時の条件、あるいは撮影により得られた画像から得られる情報（診断結果などの画像を評価した情報）をより確実な記録として残すことができる。【０１２３】  このような合成画像の表示例としては、例えば、図１７のような合成画像が挙げられる。図１７に示された合成画像は、例えば、モニタのディスプレイへ出力する場合の合成画像の一例であり、最適の倍率の対物レンズを用いたときに得られる測定試料Ｓ２の画像と、その対物レンズの倍率に合致した顕微鏡観察用カラーパレット部３ａ、３ｂ、３ｃ及び３ｄのいずれかと、バーコード６に記載の情報が併せて表示されている。【０１２４】  また、図１８のような合成画像が出力されてもよい。この図１８に示された合成画像は、例えば、プリンタを用いて紙などの情報記録媒体上に図１７に示された合成画像を印刷した場合の一例である。なお、図１８に示された合成画像において、図１７における採取画像領域１１の外部（外縁部）の情報記録媒体の余白部分１２に、顕微鏡観察用カラーパレット部３ａ、３ｂ、３ｃ及び３ｄのいずれかと、バーコード６に記載の情報が表示されてもよい。【０１２５】  次に、上述の第１〜第３実施例に係る各色基準用マイクロフィルタ付スライドガラスに備えられている各マイクロカラーフィルタＭＦ１の色特性値（分光特性値）の設定方法について説明する。この設定方法としては、測定試料の画像から得たい情報により基本的には以下の（１）の設定方法が採用されるが、下記に示す（２）〜（５）の設定方法が採用されてもよい。【０１２６】  まず、「色を決定し、それを基準とした物であり、特に分光特性値の違いを問わない物」である場合、（１）各マイクロカラーフィルタＭＦ１の色として、標準的に６色（色相的に等歩度になるように選択された色、例えば、赤、緑、青、シアン、マゼンタ、イエローの主要な基準色のうちの６色）又は１２色を基準にして、彩度を違えた色が設定される。（２）各マイクロカラーフィルタＭＦ１の色は、図１９に示されたように、Ｌ＊ａ＊ｂ＊表色系におけるＬ＊値（明るさ）にも段階を設けて、全色空間を占める範囲を網羅し、代表的な色から構成される。【０１２７】  なお、図１９では、明度軸を７段階に分け、中心に無彩色７色を設定し、有彩色１０８色から構成している。このように全立体的に色基準が設定されると、試料色のズレ量が基準色のズレ量から精度よく推定でき、これを用いてディスプレイ上での良い色再現、プリンタ上での良い色再現の調整が可能となる。【０１２８】  次に、「色だけを基準にしても意味あり、分光スペクトル自身も基準と考える物」である場合、（３）各マイクロカラーフィルタＭＦ１の色として、図２０〜図２４に示されたように、それぞれの染色法で染色された色域に限られた色が基準色として選ばれても良い。すなわち、上記（１）及び（２）の方法のように、全色域をカバーする基準色が設けられなくとも、それぞれの染色で発色される色に近い基準色を選ぶことも可能である。また、Ｌ＊座標上の値も、この（３）の基準色決定手法で用いるが、グラフ上では表記していない。【０１２９】  例えば、図２０は、基準色を得る際の代表的な染色法であるヘマトキシリン・エオシン（ＨＥ）染色法により測定試料の生体組織試料を染色し、その色値がＬ＊ａ＊ｂ＊表色系におけるａ＊値及びｂ＊値として表現されたグラフである。なお、図２０中、ｈｅ  ｂ１はヘマトキシンで染色された核等の青紫領域の色度点、ｈｅ  ｐ１は、エオシンで染められたその他の細胞質等赤系の紫色の領域の色度点をそれぞれ示す。【０１３０】  図２１は、図２０のヘマトキシリン・エオシン（ＨＥ）染色に対して、結合組織用の染色法としてアザン染色法を選択し、これで測定試料を染めた場合の基準色用の色値がＬ＊ａ＊ｂ＊表色系におけるａ＊値及びｂ＊値として表現されたグラフである。なお、図２１中、ａｚａｎ  ｂ１は膠原線維の濃青を中心に細網線維基底膜を示す青色に染められた領域の色度点、ａｚａｎ  ｒ１は核を中心とした赤色に染められた領域の色度点、ａｚａｎ  ｙ１は、それ以外黄色に染められた領域の色度点をそれぞれ示す。【０１３１】  図２２は、いわゆる渡辺の鍍銀法（Ｒｅｔｉｃｕｌｉｎ  ｓｉｌｖｅｒ  ｉｎｐｒｅｇｎａｔｉｏｎ）で測定試料を染めた場合の基準色用の色値がＬ＊ａ＊ｂ＊表色系におけるａ＊値及びｂ＊値として表現されたグラフである。なお、図２２中、ａｇ  ｌｉｖ  ｂ１は核、細網線維を中心とした、濃く低明度の青色（殆ど黒色に近い色）に染められた領域の色度点、ａｇ  ｌｉｖ  ｐ１はその他の紫色系に染められた領域の色度点をそれぞれ示す。【０１３２】  図２３は、エラスチカ、ワンギーソン染色法（Ｅｌａｓｔｉｃａ  ｖａｎ  Ｇｉｅｓｏｎ  ｓｔａｎ（ＥＶＧ））で測定試料を染めた場合の基準色用の色値がＬ＊ａ＊ｂ＊表色系におけるａ＊値及びｂ＊値として表現されたグラフである。なお、図２３中、ｅｖｇ  ｒ１は、膠原線維を中心とした赤色の領域の色度点、ｅｖｇ  ｂ１は核並びに弾性線維を中心とした濃く低明度の青色（殆ど黒色に近い色領域）に染められた領域の色度点、ｅｖｇ  ｙ１は赤血球、細胞を中心とした黄色に染められた領域の色度点をそれぞれ示す。【０１３３】  図２４は、マッソントリクローム染色法（ＭＴ）で測定試料を染めた場合の基準色用の色値がＬ＊ａ＊ｂ＊表色系におけるａ＊値及びｂ＊値として表現されたグラフである。なお、図２４中、ｍｔ  ｒ１は細胞質又は好酸性の細胞分泌顆粒等赤色に染められた領域の色度点、ｍｔ  ｂ１はその他膠原線維等、青色に染められた領域の色度点をそれぞれ示す。【０１３４】  さらに、図２０〜図２４に示された染色法以外にも、過ヨウ素酸シッフ（ＰＡＳ）染色、ベストカルミン染色法に代表される多糖類染色、チール・ネルゼン染色、グラム染色法に代表される���織内病原体の染色、組織内血液細胞の染色、腎の染色、アミロイド染色、内分泌顆粒の染色、生体内色素の染色、組織内無機物質の染色、脂肪染色、中枢神経組織の染色、核酸類染色、酵素組織化学染色用のそれぞれの染色法により発色される色に近い基準色も選ぶことが可能である。また、それぞれの染色法により染められた色に合わすために、別の色材を用いて色味だけを合わせたもの（メタメリックマッチ色）を色基準としてもよい。【０１３５】  この色基準の設定方法（３）が選択された場合、（１）及び（２）の設定方法とは基本的な使用方法が違ってくる。（１）及び（２）の設定方法は使用する色域がおよそカバーされるように基準色３種以上設定され、測定色は、３種以上の色値を基準として作られた面あるいは立体が、基準の骨格となって、測定値が、それの面内または立体内、あるいは外挿された面外あるいは立体外に、位置づけられる（プロット）ようになることを想定して決められた値である。すなわち、その基準色同士を結ぶライン（骨格）を基本として、どの位置に、測定試料が位置しているのかが問題になるということである。【０１３６】  （３）の設定方法は、（２）の設定方法のように骨格用の色を基準とし、測定試料はそれから離れて良いというものではなく、染める色が基本（基準）色そのものになり、その基本色に実際の測定値の関係を見るため、あるいはその基本色に合わすための方法である。例えば、蜘蛛の巣を比喩として用いると、（１）、（２）及び（３）の設定方法のいずれも蜘蛛の巣の糸同士がクロスに繋がっている部分を基準色とする。【０１３７】  次に試料色であるが、（１）及び（２）の設定方法では、試料色はどこに位置していても良く、糸の上にあっても良いし、糸以外どこにあっても、基本的には問題ない。試料色は、蜘蛛の巣を基本に、それ以外の位置関係を見る、または調整するための色である。ただし、試料色の位置は、蜘蛛の巣内に位置している方が良い。【０１３８】  一方、（３）の設定方法では、糸のクロスポイントと糸の位置の上に、またはそれに近い所に、試料色の位置が存在している方が良く、どれだけ、その蜘蛛の巣ラインに近いかが、重要なポイントとなる。（３）の設定方法には、試料色の位置関係を見る目的、またはそれを用いて位置調整する目的のため、基準色を設定するという意味が込められている。【０１３９】  また、「分光スペクトル自身を基準とした物」である場合、（４）各マイクロカラーフィルタＭＦ１の色は測定試料内の物質の分光スペクトルに合致した分光スペクトルを有する色に設定される。上記（１）〜（３）は色値のみを基準として、各マイクロカラーフィルタＭＦ１は作製されている。しかしながら、顕微鏡下の基準試料（例えば、ある一定条件で、基準の濃度により染められた試料）を基に測定試料内の物質の定量が行われる場合、その分光スペクトルに合わせるように、各マイクロカラーフィルタＭＦ１を作製した方がよいときが出てくる。【０１４０】  このような場合、（４）の方法のように、各マイクロカラーフィルタＭＦ１の色を設定しておくことが有効である。例えば、（３）の方法の場合、それぞれの染色法により染められるスペクトルに合わせるために、同一色材（染料）を用���て、基準試料を作っておけば、その分光分布をマッチングさせることにより、未知試料の内部物質の決定と定量が可能になるというメリットが得られる。そのため、分光分布を重要視した、同一色材（染料ｏｒ色素）を用いて、上記（３）の方法の基準試料が作られてもよい。【０１４１】  さらに、（５）各マイクロカラーフィルタＭＦ１の色としては、不可視光を放射することが可能な色（不可視カラー）が設定されてもよく、これが使用されるマイクロカラーフィルタＭＦ１中に含まれていてもよい。ここで、不可視光とは、波長が不可視領域（例えば、波長が２００〜３８０ｎｍの範囲にある光又は波長が７８０ｎｍ〜２０μｍの範囲にある光）の光を意味する。通常、色彩は可視を基準に定義付けられているが、不可視領域においても、同様な考え方、すなわち、任意の分光分布に対して３つの基準関数をかけて表現することが可能である。そのため、不可視領域においての基準も必要なため、これも含まれる。【０１４２】  次に、上述の第１〜第３実施例に係る色基準用マイクロフィルタ付スライドガラス（１０、１０Ａ、１０Ｂ）の製造方法について説明する。【０１４３】  まず、各色基準用マイクロフィルタ付スライドガラスに使用される色基準用の各マイクロカラーフィルタＭＦ１について説明する。【０１４４】  図５、図１３Ａ及び図１６Ａに示された各色基準用マイクロフィルタ付スライドガラス（１０、１０Ａ、１０Ｂ）に使用される色基準用の各マイクロカラーフィルタＭＦ１は、カラー撮像素子、液晶用の印刷等に使われるカラーレジストインク材を色材として基本的に用い、これを例えば半導体印刷技術（フォトマスク技術）により、ガラス板１上に形成することができる。この製造方法に則って作られたものは経時変化が少なく、大量生産に有効な手法である。【０１４５】  また、経時変化及び薬剤によるダメージ等を考慮した場合、イオン又はコロイド状態で発色する発色材により生成されたカラーガラスフィルタを薄くスライスされたフィルタを各マイクロカラーフィルタＭＦ１としてもよい。この場合、例えば、市販のバンドパスフィルタ（オプティマ社製，商品名：「ＤＴＢ＃４５０」，「ＤＴＢ＃４９０」，「ＤＴＢ＃５４５」，「ＤＴＢ＃５７０」，「ＤＴＢ＃６１５」，「ＤＴＢ＃６６０」，「ＤＴＢ＃７００」，「ＤＴＢ＃７４０」を１００〜４００μｍにスライスして張り合わせて作製したものが好ましい。【０１４６】  上記のオプティマ社製の「ＤＴＢ＃６１５」以上長波長のバンドパスフィルタの代わりに、ＨＯＹＡ製、「Ｏ−５４」、「Ｏ−５８」、「Ｒ−６０」、「Ｒ−６２」、「Ｒ−６４」のシャープカットフィルタもでも良いが、それらを用いた場合、色が濃すぎて、通常のカメラ系の表色系に入らない為、スライス厚の調整だけでは難しく、発色材含有量を少なくする等の調整が必要である。【０１４７】  しかしながら、マイクロカラーフィルタＭＦ１として既存の色ガラスフィルタを用いて全色相をカバーするのは困難である。例えば、特性のよい（明るい）赤紫、紫、青紫系の色ガラスフィルタは存在しない。また、接眼レンズを有する顕微鏡の場合、フィルタを大きくして被写体全面を色ガラスフィルタで覆い、それを顕微鏡下で観察すると、目は���微鏡内の全視野を見ることになるため、色順応化が起こり、視野全体の色をＮｅｗｔｒａｌ（無彩軸）よりに見てしまい、全体的に薄い色として見る傾向がある。そのため、視野全体を同じ色で覆ってしまうのは、顕微鏡用の色基準設定法としては好ましくない。そのため、上述の第１〜第３実施例に係る色基準用マイクロフィルタ付スライドガラスのように、複数の色（少なくとも２色以上の色）が同時に視界に見える方がよい。また、測定作業並びにデータ処理の上からも同時に複数の色（少なくとも２色以上の色）が測れる方が都合がよい。【０１４８】  各マイクロカラーフィルタＭＦ１の色材としては、上記の他にガラス印刷用のガラス専用顔料を用いてもよい。これは金属顔料と細かいガラスフリットを混ぜ合わせ、高熱（７００〜１０００度）で焼成することにより得えられる。市販のものとしては、例えば、奥野製薬社製のガラス着色材が挙げられる。【０１４９】  各マイクロカラーフィルタＭＦ１の他の作製方法としては、カラープリンタを用い、カラープリンタ用インクをガラス板１上にプリントする手法も挙げられる。ただし、これは細かいドットで印刷されており、顕微鏡で見るとそれらのドットが観察者に認知される。カラープリンタによる色はこれらある面積中のドットを空間的に積分して得られているものであり、ドットを一個一個を観察しては、目的とする色が得られないため、それらを色情報として扱う場合、わざわざ焦点をぼかして扱う等、若干のテクニックを必要とする。【０１５０】  また、先に、各マイクロカラーフィルタＭＦ１の色特性値（分光特性値）の設定方法の（４）で述べたように、それぞれの顕微鏡下測定試料用の染料を用いて測定試料そのもの、又は、ファントムを染めたものを固定する手法もある。例えば、この染料としては、各マイクロカラーフィルタＭＦ１の色特性値（分光特性値）の設定方法の（３）で述べたものを使用することができる。【０１５１】  さらに、各マイクロカラーフィルタＭＦ１として干渉フィルタを用いる方法も挙げられる。この場合、彩度の低い物（なだらかな分光特性を有するもの）を作るのは難しいが、不可視カラー用の色基準としてはこれを用いた方がよい場合がある。また、各マイクロカラーフィルタＭＦ１の材料としてフォトニック結晶を用いてもよい。これは、マイクロカラーフィルタＭＦ１を可視領域及び不可視領域の色基準として使用する際に有効である。【０１５２】  次に、第１〜第３実施例に係る色基準用マイクロフィルタ付スライドガラスの製造方法について、各マイクロカラーフィルタＭＦ１を上述の半導体印刷技術用いて形成する場合を一例にして説明する。【０１５３】  まず、各マイクロカラーフィルタＭＦ１が、先に述べたように液晶作製又は半導体素子作製等に採用されているフォトリソグラフィー技術を用いてガラス板１上の所定の領域に形成される。例えば、次のような工程を経て、各マイクロカラーフィルタＭＦ１を作製することができる。【０１５４】  使用するガラス板１は、スライドガラスとして規格化されたサイズ（例えば、７６ｍｍ×２６ｍｍ）と形状を有する部材（カット済みのもの）でよいし、また、それ以外のサイズ（例えば、８８０ｍｍ×６８０ｍｍ、又は、１５０ｍｍ×１��０ｍｍ）及び形状を有する部材を使用し、後の工程で必要なサイズ及び形状にカットされてもよい。例えば、複数枚のガラス板１（マイクロカラーフィルタＭＦ１が印刷済みのもの）を必要なサイズ及び形状にカットされてもよい。【０１５５】  ガラス板１の構成材料となるガラス材は、スライドガラス等に標準に用いられている、石英ガラス、低膨張ガラス（アルミホウ珪酸ガラス、ホウ珪酸ガラス）、ソーダライムガラス等を用いても問題ないが、蛍光が少ないガラスを使うとよりよい。また液晶用基材（例えば、コーニング社製、商品名：「Ｃｏａｎｉｎｇ＃７０５９」等）は、後述するカラーレジストとの相性がよいため、それを用いてもよい。【０１５６】  ガラス板１の洗浄が最初に行われる。この洗浄は、通常のシャワー洗浄、ブラシ洗浄、ＵＶ／Ｏ３に加え、超音波洗浄装置等を用いて行われる。【０１５７】  各マイクロカラーフィルタＭＦ１を形成するためにガラス板１に塗布するカラーレジストは、標準的なＲｅｄ（Ｒ）、Ｇｒｅｅｎ（Ｇ）、Ｂｌｕｅ（Ｂ）に関しては、市販のものが使用できる。例えば、住友化学社製、商品名：「Ｍ−Ｒ３０２」，「Ｍ−Ｇ３０２Ｓ」及び「Ｍ−Ｂ３０２」、日立化成工業社製、商品名：「ＰＤ−３００シリーズ」、アイテス社製、商品名：「Ｔｙｐｅ２」及び「Ｔｙｐｅ３」、大日本インキ化学工業社製のカラーフィルタ用カラーペースト（商品名：「エクセディック」）等が挙げられる。【０１５８】  これら３色（Ｒ、Ｇ、Ｂ）を基準にして濃淡を作る手法としては、例えば、ガラス板１に対してこれらをコーティングする際に、形成されるマイクロカラーフィルタＭＦ１の膜厚の調節を行う方法が挙げられる。また、この方法以外には、カラーレジスト材料に含まれている顔料と、Ｖｅｈｉｃｌｅ（バインダー樹脂、分散剤等）との比を変えることによって、濃淡を作る方法も挙げられる。さらに、それらカラーレジスト内に用いられている顔料の相互のミキシングによって、３色中の各々２色間の中間の色系（例えば、Ｙｅｌｌｏｗ、Ｃｙａｎ、Ｐｕｒｐｌｅ（Ｍａｇｅｎｔａ）についてのカラーレジストも作成可能である。また、上記の基準３色だけでは表現出来ない彩度の高い中間色を作製する場合には、それ専用の特徴色を発色させる顔料を追加してカラーレジストを作製する。【０１５９】  次に、作製したカラーレジストをガラス板１に対して塗布する。このとき、精度よい膜厚で塗布するには、通常スピンコーターを用いて行う。その他、スリットスピンコーター、ロールコーター、ワイヤーバーコーター、ダイコーター、又は最近出てきたＣＡＶＥＸコーター（ミクロ技研）等により塗布を行ってもよい。例えば、通常のスピンコーターを用いた場合、無駄に捨てられる塗布液の量が多くなる場合があるが、上記ＣＡＶＥＸコーターによる塗布は、カラーレジストの使用率が高いため特に好ましい。【０１６０】  次に、塗布した液から溶媒を蒸発させるため、プリベーク処理を行う。その条件としては、通常６０〜１００℃程度の温度で、１〜３時間程度の時間が適当である。【０１６１】  次に、露光装置（ステッパー又はマスクアライナ等）を用いマスク露光が行われる。このときにマスク（例えば、図５、図１３Ａ及び図１６Ａに示された各構成要素の配置に合わせた形状のマスク）を予め作製しておき、露光装置にてマスクを透して露光する。【０１６２】  次に、現像によりパターニング、リンス、及び乾燥が順次行われる。その後、ガラス板１とマイクロカラーフィルタＭＦ１との密着性向上及びマイクロカラーフィルタＭＦ１の耐食性向上のため、ポストベーク処理が行われる。ポストベーく処理の条件としては、通常２００〜２３０℃程度の温度で、２０分程度の時間が適当である。なお、以上説明した工程は、印刷（塗布）法により１色のマイクロカラーフィルタＭＦ１を作製する際の手順の一例である。従って、例えば全色が１２色の場合、同工程を最初（洗浄）から、１２回繰り返し行い、全色の塗布が完了する。また、図１に示したように黒マスク部を作成する場合は、一番最初の工程で行うとよい。【０１６３】  また、図５に示された名前ラベル４、図１３Ａに示されたバーコーダ６及びメモ欄７が必要に応じて設けられる場合には、ガラス板１上にこれらを形成可能な公知の印刷技術或いは薄膜製造技術により製造すればよい。【０１６４】  次に、図５、図１３Ａ及び図１６Ａに示された各色基準用マイクロフィルタ付スライドガラス（１０、１０Ａ、１０Ｂ）の使用方法について説明する。図５の色基準用マイクロフィルタ付スライドガラス１０場合は、スライドガラス１０と、測定試料を載置したプレパラートが別々に用意される。そのため、目的とする測定試料の顕微鏡測定又は撮影の前に、前もって、測定又は撮影の同条件下（光源の色温度決定、レンズ決定、画像の取り込み条件（例えば画像採取の際の、マトリックス値決定））で、図５の顕微鏡観察用カラーパレット部を測定（撮影）しておき、パソコン等の画像処理装置内に、基準カラーフィルタ画像データとして格納しておく必要がある。【０１６５】  また、色値だけでなく、分光透過特性も正確に記録できるように、大面積カラーパレット部２を設けた。大面積カラーパレット部２は、これに備えられる各マイクロカラーフィルタＭＦ１の製造会社の側において、後で必要に応じて分光透過率の経時変化をトレースできるように、予め測定試料の分光分布を採って置く必要がある場合に有用である。また、分光透過特性は簡単に測定できるため、ユーザーの方でも使用しているマイクロカラーフィルタＭＦ１の退色度合が簡単に判断できる。【０１６６】  その後、顕微鏡下の試料を撮影した後、その測定試料の画像データと、予め撮影しておいた基準カラーフィルタ画像との融合画像（Ｆｕｓｉｏｎ  Ｉｍａｇｅ）を作成し、ディスプレイに表示する（図１７及び図１８参照）。そして、この融合画像は情報の記録及び／又はデータの計算に用いる。例えば、ユーザーの好みで彩度強調、色相シフト、明度調整、又はγ補正等の色変換を含む画像処理を行う必要があるときには、この融合画像を用いる。【０１６７】  そうすれば、撮影者が色特性を変えたとしても、また、撮影者以外の第３者が採取画像を検討（診断）する時に、第３者の好みに合わせて色を変えたとしても、基準色が判っているため、その変化分から、試料の色を、元の色に戻すことも可能となる。また、このような使用方法により、顕微鏡下の色が、記念撮影的な意味合いを持つ相対値から、物理的��絶対値的な値として扱えるようになる。【０１６８】  図１３Ａの色基準用マイクロフィルタ付スライドガラス１０Ａは、上述のように、色基準用マイクロフィルタ付スライドガラスと測定試料用のスライドガラスを両方用意しなくてもよい構成であるため、測定試料を撮影すれば、自動的に使用している対物レンズの倍率に合致した最適の大きさの各マイクロカラーフィルタＭＦ１或いはこれらを含む顕微鏡観察用カラーパレット部が撮影される。この場合、得られる画像内に色基準用のマイクロカラーフィルタＭＦ１、あるいはこれらを含む顕微鏡観察用カラーパレット部が含まれる。そのため、撮影後、自動的に色補正等を行う場合は、測定試料と同時に測定されたこのマイクロカラーフィルタＭＦ１、あるいはこれらを含む顕微鏡観察用カラーパレット部を見つけだして利用することになる。【０１６９】  測定試料を例えばスライスして測定試料載置部５に載せるため、マイクロカラーフィルタＭＦ１或いはこれらを含む顕微鏡観察用カラーパレット部の一部に測定試料が覆い被さる場合があるが、測定試料が覆い被さっていないマイクロカラーフィルタＭＦ１或いはこれらを含む顕微鏡観察用カラーパレット部を利用することなく、この部分の撮影も支障なく行える。【０１７０】  さらに、このとき、プレパラート作製用に使用された接着剤（例えば、商品名：「カナダバルサム」等）の吸収と、試料の染色用に用いられた染料が稀釈されその接着剤に含まれる吸収分と、カバーガラスの吸収とが、厳密にはマイクロカラーフィルタＭＦ１の透過特性に加わるため、撮影される画像の値はこれら吸収分が全てが加わったものになる。しかし、マイクロカラーフィルタＭＦ１の透過特性は既知であるので、上記のマイクロカラーフィルタＭＦ１以外の吸収分を画像そのものから計算することが可能である。そのため、例えば、接着剤の吸収分の評価を厳密に行うための測定も付加的に可能になる。【０１７１】  図１６Ａの色基準用マイクロフィルタ付スライドガラス１０Ｂは、自動的な撮影を行う場合の使用を想定したスライドガラスであり、その使用方法は先に詳しく述べたので省略する。【０１７２】  以上説明した各実施例に係る色基準用マイクロカラーフィルタ付スライドガラス１０、１０Ａ及び１０Ｂをはじめとするこの発明に係るスライドガラス（色基準用マイクロカラーフィルタ付スライドガラス）は、上記の色基準用マイクロフィルタの色特性（分光特性）を比較基準とすることにより、顕微鏡で撮影される測定試料の画像の色特性を客観的に評価することができる。【０１７３】  また、異なる同一の測定試料を異なるカメラ（分光感度の異なるカメラ）で撮影した場合あっても、色基準用マイクロフィルタの色特性を測定することにより、これを比較基準として、異なるカメラで撮影した画像同士の色特性の差異を定量的に把握することができる。そのため、例えば、異なる２つのカメラで撮影した画像のうちの一方の色特性を補正し、他方の画像の色特性に一致させることもできる。【０１７４】  さらに、異なるカメラで撮影した画像を、異なる画像出力手段により出力された画像（ディスプレイ上の出力画像、プリンタを用いた紙などの記録媒体上の出力画像）の色評価及び色補正も確実にできるようになる。【０１７５】  例えば、画像出力手段で出力される最終的な画像を得るまでに、オリジナルの測定試料の画像に対して、図２５に示されたような多段の画像処理が施された場合であっても、各処理毎に、測定試料の撮影と色基準用マイクロカラーフィルタの測定を共にしておけば、オリジナルの測定試料の画像の色特性（分光特性）が、加工毎にどのように変化したか把握することが容易にできる。このとき、各処理毎に、撮影時の光源特性、レンズ系特性、感度特性なども記録しておけば、より確実な履歴となる。【０１７６】  なお、図２５中、Ｇ１は基準色を有する基準サンプルの分光特性（光透過率）の一例を示すグラフ（例えば、図７〜図１２に示されたグラフ等）、Ｇ２は測定試料の分光特性（光透過率）を示すグラフ、Ｇ３は光源の分光特性の一例を示すグラフ、Ｇ４はレンズ系の分光特性（光透過率）の一例を示すグラフ、Ｇ５はカメラの感度特性（生データ）の一例を示すグラフ、Ｇ６はカメラの感度特性（補正データ）の一例を示すグラフ（例えば、ｓＲＧＢ系等）である。ＭはＧ５をＧ６に変換するための変換マトリクスである。【０１７７】  Ｇ７はＧ１〜Ｇ６を用いて行われる色変換の結果得られる測定試料（図中の記号「△」）と基準色（図中の記号「○」）との関係の一例を示すグラフである。なお、Ｇ７は、測定試料と基準色について、ｓＲＧＢ色座標系の表示データを、ＸＹＺ表色系の表示データに変換し、さらに、これをＬ＊ａ＊ｂ＊表色系の表示データに変換した場合に得られるａ＊値及びｂ＊値の関係を表現した場合の例を示す。【０１７８】  ここで、この発明に係る色基準用マイクロカラーフィルタ付スライドガラスが用いられなかった場合、各処理工程において、例えば、光源の分光特性、カラーカメラの分光分布特性等を履歴として残して置いたとしても、パーソナルコンピュータ上における、最終的な色彩ソフト内での僅かな処理により、色味が変わってしまうため、殆どその履歴は用を足さなくなり、簡単に言えば、ただ単に記念撮影されている一枚の絵となり、計測値としての意味が失われてしまう。そのため、後で解析的な評価ができなくなってしまうと考えられる。【０１７９】  以上のように、この発明に係る色基準用マイクロカラーフィルタ付スライドガラスによれば、色基準用マイクロカラーフィルタがどのように記録されており、色基準用マイクロカラーフィルタの色がどのように色変化されて表現されているのか判るので、例えば、以下のような使い方が有効となる。【０１８０】  すなわち、まず、例えば、測定試料と同一条件で撮影された色基準用マイクロカラーフィルタのパレット画像を縮小し、測定試料画像中の端にそれを附加しておく使用方法が挙げられる。このようにすれば、同一条件における色基準のミニ画像（インデックス画像）が、測定試料画像と同時に扱われるので、色変化をソフト上で加えても、色基準のミニ画像（インデックス画像）にもそれが加えられる。そのため、もとのオリジナルの色（色特性）からどの程度変化を加えたものか確認できるため、極めて都合が良いことが判る（例えば、図２６参照）。【０１８１】  なお、図２６中、Ｇ８は補正前の基準値データがＬ＊ａ＊ｂ＊表色系におけるａ＊値及びｂ＊値���関係として表現された一例を示すグラフ、Ｇ９は補正後の基準値データがＬ＊ａ＊ｂ＊表色系におけるａ＊値及びｂ＊値の関係として表現された一例を示すグラフである。さらに、図２６のＧ８及びＧ９中、記号「△」は測定試料のデータ、記号「○」は基準色のデータを示す。【０１８２】  以上のように、色基準用マイクロカラーフィルタの画像と同じに測定試料の画像を記録しておけば、後で、その画像を確認するときもどのような状態で撮影（計測）されていたかが判る。また、その採取画像を色補正する場合も、マイクロフィルタの色基準画像度と同時に、補正を加えるようにすれば、色補正の履歴も残り、あとで色補正を加えたものか、どのように色補正を加えたものかが解析できる。また逆にＯｒｉｇｉｎａｌの色補正も、その基準画像部分の色情報を用いているので、この色基準は必項のものとなる。【０１８３】  また、例えば、色合わせの基準（システムメディア間の基本データ）としての使用方法が挙げられる。顕微鏡を含めて、顕微鏡下の画像を採取し、それをディスプレイ等に表現し、又はその画像をプリンタに印字し、またその画像情報を記録するシステムにおいて、色基準用マイクロカラーフィルタを撮影し、それをディスプレイで表示し、その色を評価し、又はプリンタ等で印字しその色を評価できるようになる。【０１８４】  そのため、目視下の実際のマイクロカラーフィルタを見ながら評価ができる。また、撮影色とディスプレイ上の色、プリンタで表現された色をマッチングさせる色基準用マイクロカラーフィルタができ、これにより、様々なデバイス間の違いを越えて理論的に合わし得る範囲内の色合わせ基準ができる。【０１８５】  さらに、例えば、定量基準と分光推定（定量の基本データ）としての使用方法が挙げられる。ＲＧＢカメラで採取した一部位の値に関して言えば、このＲＧＢ値（厳密な話とするため、このＲＧＢ値をｓＲＧＢ表色系のＲｓＲＧＢ  ＧｓＲＧＢ  ＢｓＲＧＢとする。）に対応する値に対してマッチングする分光分布は無限に存在（すなわち、メタマーが存在するということ）するため、ＲＧＢだけでは分光分布の決定はできない。【０１８６】  しかしながら、例えば、基準測定試料（色基準用マイクロカラーフィルタ）の色素又は測定試料を染めるために使用した色素ｏｒ染料の分光スペクトルが既知で、未知測定試料を染めるために使用した、染料＆色素が既知の場合、すなわち、前もって作っておいた基準測定試料（色基準用マイクロカラーフィルタ）が未知測定試料分の染料（色素）を網羅している場合には、撮影されたカラーカメラの測定値（例えばＲ、Ｇ、Ｂ）から、未知測定試料の分光推定は可能になる。もちろん定量も可能になる。【０１８７】  さらに、例えば、インテリジェントな情報メディアとしての使用方法が挙げられる。上述の各実施例に係る色基準用マイクロカラーフィルタ付スライドガラスをはじめこの発明に係るスライドガラス（色基準用マイクロカラーフィルタ付スライドガラス）は、図１３Ａに示されたように、バーコード６並びに、メモ欄７として磁性体の塗布、又はＩＣチップ埋め込み等も含まれているため、それ単体として、いろいろな情報を記録することができる。【０１８８】  例えば、単なる測定試料の���別番号、測定試料の検索用のキーワード以外にも、その顕微鏡診断時のメモ用に音声情報をデジタル化して記録しておくこともでき、また画像情報もデジタル化して記録しておくこともできる。そのため、経時的に化学的状態或いは物理的状態が変化する測定試料の場合、ある一定時間毎に、保管場所から、自動的に測定試料付きのスライドガラスを取り出してきて、自動的に測定し、その経時変化データを撮影し、そのメモ欄に書き込むこと等ができる。【０１８９】  従来の記録媒体は、パソコン内のハードディスク又はＭＯディスク、ＣＤディスク、又はＬＡＮにつながっているサーバのメモリーが一般的であった。今後はリスク回避、リスク分散の意味からも、測定試料そのものに記録エリアを設けて記録しておくということも、重要であると考えられ、そのような記録媒体として本発明の色基準用マイクロカラーフィルタ付スライドガラスを用いることができる。【０１９０】  以上、纏めると、上述の各実施例に係る色基準用マイクロカラーフィルタ付スライドガラス１０、１０Ａ及び１０Ｂをはじめ本発明のスライドガラス（色基準用マイクロカラーフィルタ付スライドガラス）は、顕微鏡下の色基準用マイクロカラーフィルタにより、次のような効果が得られる。【０１９１】  すなわち、１）正確な測定試料に関するオリジナル画像の色特性の記録が残る。２）撮影された基準色を基に、任意のサンプルがどのように撮影されていたか、生データ（オリジナルの画像データ）の復元が可能になる。３）色合わせの基準（色基準用マイクロカラーフィルタ）を用いることにより、色再現のシステムがクローズ化できる。４）色基準用マイクロカラーフィルタにより、測定した測定試料の分光値推定が可能になる。また、色基準用マイクロカラーフィルタを用いて顕微鏡測定試料中に含まれる定量すべき物質の定量ができるようになる。５）インテリジェントな情報メディアになる。６）本発明の色基準用マイクロフィルタ付スライドガラスは、測定試料の不可視カラーに関する情報についても上述した可視領域の色の情報を取り扱う場合と同じ効果を得ることができる。【０１９２】  以上、この発明に係るスライドガラスの実施例について詳細に説明したが、この発明に係るスライドガラスは上述の実施例に限定されるものではない。【０１９３】  例えば、この発明に係るスライドガラス（色基準用マイクロフィルタ付スライドガラス）の用途は、画像採取システムには限定されない。例えば、この発明に係るスライドガラス（色基準用マイクロフィルタ付スライドガラス）を、分光イメージングセンサ（例えば、特許第２７１３８３８号公報に記載の分光イメージングセンサ）で測定試料を撮影する時の色の基準として使用してもよい。【０１９４】  分光イメージングセンサを備える画像採取システムを用いた場合、採取画像データから様々な情報を得ることができる。例えば、これを用いれば、部位毎のスペクトルの状態まで判る為、基礎データスペクトルを用意しておけば、用意した基礎データ分の含有試料に関しては、その同定が可能となるし、また定量が可能となる。この場合、同システム内で基礎データまで採取した方が精度の良い結果が得られるから、既知の染料濃度及び染浴時間により染められ���定量のための基準となる測定試料が必要となる。これに関しては、実際に測定されるべき試料、そのものを基準としても良いし、それに模したファントムが染められていても良い。
（カバーガラスの第１及び第２実施例）【０１９５】  上述の第１〜第３実施例に係るスライドガラス（色基準用マイクロフィルタ付きスライドガラス）では、ガラス板の上面に２以上の色基準用マイクロカラーフィルタが配置されているが、これら色基準用マイクロカラーフィルタは、測定試料を挟んだ状態で該ガラス板に当接されるカバーガラスに配置されてもよい。【０１９６】  すなわち、顕微鏡は通常のスライドガラスの上面（ガラス板の上面）側ではなく、カバーガラスの測定試料側の面に焦点が合うように設計されている。また、顕微鏡視野は、カバーガラスのサイズを越えることはない。【０１９７】  図２７Ａは、この発明に係るカバーガラスの第１実施例における基本構成を示す図であり、図２７Ｂは、この発明に係るカバーガラスの第２実施例における基本構成を示す図である。【０１９８】  図２７Ａに示された第１実施例に係るカバーガラス２０Ａには、正方形であり、その測定試料側の面には、複数の色基準用マイクロカラーフィルタＭＦがプリントされている。また、この第１実施例に係るカバーガラス２０Ａには、上面と裏面を区別するための識別マーク２００がプリントされている。一方、図２７Ｂに示された第２実施例に係るカバーガラス２０Ｂは、長方形であり、複数の色基準用マイクロカラーフィルタが、該カバーガラス２０Ｂの重心に対して非対称に配置されている。このような色基準用マイクロカラーフィルタの配置によっても、都外カバーガラス２０Ｂの上面と裏面を区別することができる。【０１９９】  なお、これら第１及び第２実施例に係るカバーガラス２０Ａ、２０Ｂの、測定試料側の面には、顕微鏡に装着される対物レンズの各倍率に合致した複数の色基準用マイクロカラーフィルタＭＦが配置されてもよく、また、当該カバーガラス２０Ａ、２０Ｂの全体に複数の色基準用マイクロカラーフィルタＭＦがちりばめられてもよい。このように、カバーガラス２０Ａ、２０Ｂ全体に色基準用マイクロカラーフィルタＭＦがちりばめられた場合、測定試料で一部の色基準用マイクロカラーフィルタＭＦが隠されたとしても、残りの色基準用マイクロカラーフィルタＭＦを利用すれば、鮮明な画像が撮影できる。【０２００】  次に、この発明に係る病理診断システムについて説明する。当該病理診断システムは、上述のような構造を有するスライドガラス（この発明に係るスライドガラス）やカバーガラス（この発明に係るカバーガラス）が適用される。【０２０１】  図２８は、この発明に係る病理診断システムとして、遠隔病理診断を行う場合の概略システム構成を示す図である。この遠隔病理診断システムは、ＬＡＮ、インターネット、衛星回線、電話回線など、有線、無線を問わない通信回線４００を介して、画像採取システムを構成する観察側端末３００から病理診断を行う診断側端末５００へ画像データが転送される構成を備える。【０２０２】  図２８の遠隔病理診断システムにおける観察側端末３００は、顕微鏡３１０、制御装置３２０、コンピュータ３３０、画像変換器３４０、モニタ３５０を備える。顕微鏡３１０は、上述のようなスライドガラス１０及びカバーガラス２０が設置されるＸ−Ｙステージ３１１と、異なる倍率の対物レンズ３１３が取り付けら��るリボルバを備えるとともに、画像検出器としてのカメラ３１２が取り付けられている。制御装置３２０は、Ｘ−Ｙステージ３１１の駆動制御や画像データの取り込み等を制御する。コンピュータ３００では、病理診断ソフトウエアが実行されており、制御装置３２０から送られてきた画像データ（色調節のために撮影された色基準用マイクロカラーフィルタの画像を含む）が、画像変換器３４０に送るとともに、Ｉ／Ｏ３３１から通信回線４００を介して診断側端末５００へ送出される。画像変換器３４０は、コンピュータ３３０から送られてきた画像データの色、明るさ等に関する色情報に基づいて、モニタ３５０上に表示されるべき色が正しく再現されるよう、調節されている。【０２０３】  一方、図２８の遠隔病理診断システムにおける診断側端末５００は、コンピュータ５１０、画像変換器３４０、モニタ３５０を備える。コンピュータ５１０でも、病理診断ソフトウエアが実行されており、観察側端末３００から通信回線４００を介して転送された画像データ（色基準用マイクロカラーフィルタの画像を含む）をＩ／Ｏ５１１で受信し、画像変換器５２０へ出力する。画像変換器５２０は、転送された色基準用マイクロカラーフィルタの色、明るさに関する情報を、予め設定された正しくモニタ上に表示するための色情報に変換する。【０２０４】  病理診断において、色やコントラストは重要な情報である。通常、顕微鏡とコンピュータ画像の色整合は、カメラとモニタの調節により実際の色に近付けることができる。しかしながら、遠隔病理診断では、観察側端末３００と診断側端末５００とは、それぞれ異なるモニタ等を使用するため、該診断側端末５００では、モニタ上に表示される色が正しいかの判断ができなかった。【０２０５】  この発明に係る病理診断システムは、色基準用マイクロカラーフィルタが配置されたスライドガラスやカバーガラスを利用するため、観察側端末３００から離れた診断側端末５００においても基準となる色やコントラスト情報を得ることが可能になる。この結果、当該病理診断システムにおける診断側端末５００においても、表示される画像の色やコントラストを最適に調節することが可能になる。【０２０６】  また、上述の第２及び第３実施例に係るスライドガラス１０Ａ、１０Ｂが利用される場合、基準となる色やコントラスト情報は、測定試料の画像とともに保持されるため、顕微鏡の照明系、カメラなどが変わることにより採取される画像の色やコントラスト情報が変わっても、この基準となる色情報を利用して診断側端末５００だけでなく、観察側端末３００においても正しく補正された画像の表意が可能になる。【０２０７】  なお、色基準用マイクロカラーフィルタを含むスライドガラスやカバーガラスの全体の情報を高解像度で記録するディジタルスライドなどをりようしても、基準となる色やコントラスト情報が測定試料の画像とともに記録されることになるため、この場合も、正しい色やコントラストの再現が可能になる。【０２０８】  次に、上述のような遠隔病理診断システムの動作を図２９のフローチャートを用いて説明する。図２９は、図２８に示された病理診断システムにおける遠隔病理診断を開始するまでの前処理を説明するためのフロー��ャートである。【０２０９】  まず、観察側端末３００では、色基準用カラーマイクロフィルタが配置されたスライドガラス（この発明に係るスライドガラス）及びカバーガラス（この発明に係るカバーガラス）のうちいずれかを含むサンプル（ガラス板１０及びカバーガラス２０により構成）が用意される（ステップＳＴ１）。【０２１０】  用意されたサンプルが、顕微鏡３１０のＸ−Ｙステージ３１１にセットされると（ステップＳＴ２）、所定倍率の対物レンズ３１３を介して、カメラ３１２がサンプルの色基準用マイクロカラーフィルタを撮影する（ステップＳＴ３）。なお、この観察側端末３００における撮影動作は、コンピュータ３３０が、制御装置３２０を介して行う。【０２１１】  以上のように採取された色基準用マイクロカラーフィルタの画像データは、病理診断ソフトウエアにより、画像変換器３４０を介してモニタ３５０上に表示されるとともに、Ｉ／Ｏ３１１から通信回線４００に送出される（ステップＳＴ４）。【０２１２】  診断側端末５００では、通信回線４００を介して転送された画像データがＩ／Ｏ５１１で受信されると、コンピュータ５１０内で実行されている病理診断ソフトウエアは、この画像データを画像変換器５２０へ出力する。画像変換器５２０では、入力された画像データの色やコントラストが、正しくモニタ５３０上に表示されるよう調節され（ステップＳＴ５）、該色調節された画像がモニタ５３０上に表示される（ステップＳＴ６）。【０２１３】  診断側端末５００では、以後、観察側端末３００に対し、診断に必要な画像のテンスや顕微鏡の制御を指示し、これら端末３００、５００間でデータの送受信を繰り返しながら病理診断が行われる（ステップＳＴ７）。【０２１４】  以上の本発明の説明から、本発明を様々に変形しうることは明らかである。例えば、画像採取システムに適用される撮像装置は、カメラに限定されることなく、ディジタルスライド（バーチャルスライド）、スキャナー、Ｖｉｒｔｕａｌ  Ｍｉｃｒｏｓｃｏｐｅ内の撮像部等、試料を撮影するコンポーネントであればよい。そのような変形は、本発明の思想および範囲から逸脱するものとは認めることはできず、すべての当業者にとって自明である改良は、以下の請求の範囲に含まれるものである。
【産業上の利用可能性】
【０２１５】  以上のようにこの発明によれば、顕微鏡を使用して撮影された測定試料の画像の色評価及び色補正に使用可能な比較基準となる色情報が得られる。
【図１】
2004044639.tif 000003
【図２】
2004044639.tif 000004
【図３】
2004044639.tif 000005
【図４】
2004044639.tif 000006
【図５】
2004044639.tif 000007
【図６】
2004044639.tif 000008
【図７】
2004044639.tif 000009
【図８】
2004044639.tif 000010
【図９】
2004044639.tif 000011
【図１０】
2004044639.tif 000012
【図１１】
2004044639.tif 000013
【図１２】
2004044639.tif 000014
2004044639.tif 000015
【図１４】
2004044639.tif 000016
【図１５】
2004044639.tif 000017
2004044639.tif 000018
【図１７】
2004044639.tif 000019
【図１８】
2004044639.tif 000020
【図１９】
2004044639.tif 000021
【図２０】
2004044639.tif 000022
【図２１】
2004044639.tif 000023
【図２２】
2004044639.tif 000024
【図２３】
2004044639.tif 000025
【図２４】
2004044639.tif 000026
【図２５】
2004044639.tif 000027
【図２６】
2004044639.tif 000028
2004044639.tif 000029
【図２８】
2004044639.tif 000030
【図２９】
2004044639.tif 000031
【国際調査報告】
2004044639.tif 000032
2004044639.tif 000033
2004044639.tif 000034
2004044639.tif 000035